(57)【要約】【課題】遊技盤の固定忘れを未然に防止して常時安定な固定状態で遊技可能な弾球遊技機を提供する。【解決手段】前枠側には前方に突出して回動可能に固定レバー１１５が設けられ、遊技盤１０には開放位置にある固定レバーのレバー部を通過させて前方に突出させる一方、固定レバー１１５が係止位置に回動されたときにレバー部と係合して係止される係止受け部１２０が設けられている。常には遊技盤１０の前方に所定間隔をおいて閉止されるガラス扉５には、ガラス扉５が閉止方向に揺動されたときに、係止位置に位置する固定レバー１１５とは干渉しないが解放位置に位置する固定レバー１１５と当接する干渉突起１３５が設けられている。【選択図】  図１４
2004208946.tif 000002
【特許請求の範囲】
【請求項１】
前面に遊技構成部品が取り付られた遊技領域を有する遊技盤と、前記遊技盤を所定位置で立設保持する枠部材と、前記枠部材に開閉自在に取り付けられ前記遊技領域の前面に所定間隔を有して対向する閉止位置に保持されるガラス扉とを備え、前記閉止位置に保持された前記ガラス扉との前記所定間隔内における前記遊技領域内で遊技球を落下移動させて遊技を行うように構成された弾球遊技機において、
前記所定位置に配設された前記遊技盤を前記枠部材に固定保持する固定保持手段が、前記枠部材に前方に突出して取り付けられた固定係止部材と、前記遊技盤が前記所定位置に配設されるときに前記固定係止部材を通過させて前方に突出させる係止開口を有して前記遊技盤に設けられた係止受け部とを備え、
前記固定係止部材は、前記係止開口を通過して前記遊技盤の前面側に突出する解放位置と、前記遊技盤の前面側に突出した位置から前記係止受け部の前面上に位置して前記遊技盤を前記枠部材に係止させる係止位置とに移動可能であり、
前記ガラス扉が前記閉止位置に保持されたときに、前記係止位置に位置する前記固定係止部材とは干渉しないが前記解放位置に位置する前記固定係止部材と干渉する干渉部が、前記ガラス扉に設けられていることを特徴とする弾球遊技機。
【発明の詳細な説明】
【０００１】
【発明の属する技術分野】
本発明は、立設保持された遊技盤の前面遊技領域内に遊技球発射装置から遊技球を打ち出し、この遊技球を遊技領域内で落下移動させて遊技を行うように構成される弾球遊技機に関する。
【０００２】
【従来の技術】
このような遊技機として、パチンコ機、アレンジボール機、雀球遊技機等が一般的に知られているが、この種の遊技機の代表としてパチンコ機を例に挙げて説明する。パチンコ機は、前面側にガラス扉が開閉自在に装着される前枠、この前枠が開閉着脱可能に取り付けられる方形枠状の外枠、前枠（もしくは前枠と一体に構成された収容枠）に着脱自在に取り付けられるとともに閉止状態のガラス扉に近接して対向する遊技盤、前枠の後面側に取り付けられる裏機構盤等から構成される。一般的に、遊技盤は前枠（もしくは収容枠）に立設状態で保持され、遊技盤の下方に位置して前枠内に配設された遊技球発射装置から発射された遊技球を遊技盤前面の遊技領域の周縁に沿って上方に移動させて上部から遊技領域内に導き、ガラス扉との間における遊技領域内で落下移動する遊技球を遊技領域内の入賞具（遊技構成部品）に入賞させる遊技を行うように構成されている。
【０００３】
このような構成のパチンコ機において、遊技盤は前枠（もしくは収容枠）に立設されて組み付けられるが、この組み付けのために、遊技盤を前枠の後面側から着脱可能とする構成（後面側着脱構成と称する）と、前枠の前面側から着脱可能とする構成（前面側着脱構成と称する）とがある。従来では後面側着脱構成の方が採用されることも多かったが、上記のように前枠の後面には裏機構盤等が遊技盤後面を覆うようにして取り付けられているため、後面側着脱構成を採用すると遊技盤を交換するような場合には裏機構盤を開放もしくは取り外す必要があるため交換作業等が煩雑化しやすい。このため、前面側着脱構成も一般的に用いられるようになっている（例えば、特許文献１参照）。なお、遊技盤を前枠（もしくは収容枠）に取り付けるときには、これを前枠に強固に固定保持する必要があり、上記特許文献１では遊技盤を固定保持する固定保持手段としての施錠装置が開示されている。
【０００４】
【特許文献１】
特開２０００−２８８２１５号公報
【０００５】
【発明が解決しようとする課題】
ところで、前面側着脱構成の場合には遊技盤の前面側に固定保持手段を設け、遊技盤の前面側から固定保持手段を操作して遊技盤を前枠（もしくは収容枠）に強固に固定保持するように構成される。すなわち、前面側着脱構成では遊技盤の前面側に露出して固定保持手段が設けられるが、弾球遊技機は遊技盤前面に設けられた遊技領域をガラス扉の透明板部を通して透視して遊技を行うものであるため、固定保持手段はこのように透視できる遊技領域より外側の位置に設ける必要がある。一方、固定保持手段による遊技盤の固定操作を忘れると遊技盤が前枠内で不安定な状態となるため、遊技盤の固定完了チェックは非常に重要である。しかしながら、固定保持手段は遊技盤前面におけるガラス扉の透明板部を介して透視できる遊技領域の外側位置に設けられているため、遊技盤の固定完了チェックが難しいという問題がある。
【０００６】
本発明はこのような問題に鑑み、遊技盤を前枠（もしくは収容枠）に固定する固定保持手段が遊技盤前面に露出して設けられる構成において、この固定保持手段による遊技盤の固定完了チェックを確実に行うことができるような構成の弾球遊技機を提供することを目的とする。
【０００７】
【課題を解決するための手段】
このような目的達成のため、本発明においては、前面に遊技構成部品が取り付られた遊技領域を有する遊技盤と、この遊技盤を所定位置で立設保持する枠部材と、この枠部材に開閉自在に取り付けられ遊技領域の前面に所定間隔を有して対向する閉止位置に保持されるガラス扉とを備え、閉止位置に保持されたガラス扉との所定間隔内における遊技領域内で遊技球を落下移動させて遊技を行うように弾球遊技機が構成される。そして、この弾球遊技機において、所定位置に配設された遊技盤を枠部材に固定保持する固定保持手段（例えば、実施形態における遊技盤固定保持装置１００）が、枠部材に前方に突出して取り付けられた固定係止部材（例えば、実施形態における固定レバー１１５）と、遊技盤が所定位置に配設されるときに固定係止部材を通過させて前方に突出させる係止開口を有して遊技盤に設けられた係止受け部とを備え、固定係止部材は、係止開口を通過して遊技盤の前面側に突出する解放位置と、遊技盤の前面側に突出した位置から係止受け部の前面上に位置して遊技盤を枠部材に係止させる係止位置とに移動可能であり、ガラス扉が閉止位置に保持されたときに、係止位置に位置する固定係止部材とは干渉しないが解放位置に位置する固定係止部材と干渉する干渉部（例えば、実施形態における緩衝突起１３５）が、ガラス扉に設けられている。
【０００８】
このような構成の弾球遊技機では、遊技盤を所定位置に位置させると、遊技盤の係止受け部に形成された係止開口を通って固定係止部材が遊技盤の前面側に突出するので、これを例えば手で操作して係止位置に位置させるだけで遊技盤を枠部材に簡単に固定させることができる。さらに、このように固定係止部材を係止位置に操作するのを忘れたときには、固定係止部材は解放位置に位置したままとなるため、ガラス扉の干渉部が固定係止部材と干渉してガラス扉を閉止できなくなり、遊技盤の固定作業忘れを確実に且つ簡単にチェックできる。
【０００９】
【発明の実施の形態】
以下、本発明の好ましい実施形態について、好適な実施例を挙げて添付図面を参照しながら詳細に説明する。なお実施例では、前枠の正面奥部に遊技盤が収容保持された形態のパチンコ機に本発明を適用した場合を主として説明する。
【００１０】
まず、パチンコ機ＰＭの概要構成を図１〜図６の各図を参照して要約説明する。ここで、図１はパチンコ機ＰＭの正面図、図２はパチンコ機ＰＭの背面図、図３はガラス扉５および球皿６を開放した状態におけるパチンコ機ＰＭの正面図、図４はガラス扉５および球皿６を開放して遊技盤１０を取り外した状態におけるパチンコ機ＰＭの正面図、図５および図６は前枠２からガラス扉５、球皿６、遊技盤１０、裏セット盤３０などを取り外した分解状態における各部の正面図および背面図である。
【００１１】
パチンコ機ＰＭは外郭方形枠サイズに構成されて縦向きの固定保持枠をなす外枠１の開口前面に、これに合わせた方形枠サイズに構成されて開閉搭載用の前枠２が互いの正面左側上下に配設されたヒンジ機構３ａ，３ｂで横開き開閉および着脱が可能に取り付けられ、正面右側に設けられたダブル錠と称される施錠装置４を利用して常には外枠１と係合された閉鎖状態に保持される。
【００１２】
前枠２の前面側には、前枠２の前面域に合わせた方形状のガラス扉５および球皿６が正面左側に設けられたヒンジ機構７ａ，７ｂ，７ｃで横開き開閉および着脱が可能に取り付けられ、正面右側に設けられた施錠装置４および球皿施錠装置９を利用して前枠２の前面を覆う閉鎖状態に保持される。球皿６の右側下部には遊技球の発射操作を行う操作ハンドル８が取り付けられている。前枠２の上部には方形枠状の収容枠２ａが前枠２と一体に成型されており、この収容枠２ａに設けられた遊技盤固定保持装置１００を利用して遊技盤１０が着脱可能に立設保持される。
【００１３】
遊技盤１０は、所定板厚の積層合板を切断およびルーター加工して、表面にセルを貼り付けた化粧板（「ベニヤ」とも称される）１１を基板として構成される。化粧板１１の前面には、上下２分割のレール飾り１２，１３がビス止めされてその内側に略円形の遊技領域ＰＡが区画形成され、この遊技領域ＰＡに多数本の遊技釘とともに風車や各種入賞具１４、遊技の進行状況に応じて所定の図柄を表示させる図柄表示装置１５などの遊技構成部品が取り付けられている。
【００１４】
遊技領域ＰＡの入口部には遊技領域ＰＡに発射された遊技球が再び遊技球発射装置２１側に戻ることを防止する球戻り規制片１６が取り付けられ、遊技領域ＰＡの下端部には入賞具１４に入賞せずに落下した遊技球を遊技盤１０の裏面側に排出させるアウト口１７が設けられている。化粧板１１の裏面側には、各入賞具１４に入賞した遊技球（「セーフ球」という）を検出する入賞球検出器、セーフ球を集合させ化粧板１１の裏面に沿って落下させる球寄せカバー１８、図柄表示装置１５の作動制御を行う画像制御基板９５などが取り付けられている。
【００１５】
収容枠２ａの下側に位置する前枠２の下部領域には遊技補助盤と称される補助機構部が形成されており、この遊技補助盤２０の各部に、遊技盤１０に向けて遊技球を打ち出す遊技球発射装置２１、所定容積の収容空間を有して球皿６の充満時に排出しきれない遊技球を一時貯留する貯留ケース２５、貯留ケース２５の出口開口に設けられ球皿６の開閉操作に連動して出口開口を開閉する枠側シャッタ２８、遊技の展開状態に応じて効果音を発生させる音響装置２９などが設けられている。また遊技補助盤２０の上部には、遊技盤１０のアウト口１７と位置整合してアウト球受容口３７ａが設けられており、アウト口１７から遊技盤の裏面側に排出された遊技球（「アウト球」という）を後方のアウト球通路３７に導くようになっている。
【００１６】
常には遊技盤１０の前面を覆って閉鎖位置に保持されるガラス扉５の背面側には、前後２枚のガラス板がその周縁を支持する保護フレームに収容されて一体のガラスアッセンブリ５２が形成され、このガラスアッセンブリ５２がガラス扉の裏面右側に設けられたヒンジ機構５３ａ，５３ｂにより横開き開閉および着脱が可能に取り付けられ、裏面左側に設けられたガラス施錠機構５４によってガラス扉５の窓口開口を覆う閉止位置に係止保持されている。
【００１７】
また常には遊技補助盤２０の前面を覆って閉鎖位置に保持される球皿６の背面側には、遊技補助盤２０に設けられた各機器に対応した機構装置が装備されている。すなわち、遊技球発射装置２１に対応して遊技球発射装置２１に遊技球を送り出す球送りカセット６１が、貯留ケース２５に対応して貯留ケース内部の状態をパチンコ機正面側から視認可能な貯留ケース透視窓６５が、枠側シャッタ２８に対応して球皿６の開閉に連動昇降する皿側シャッタ６８が、それぞれの対応位置に設けられている。
【００１８】
前枠２の裏面側には、中央に前後連通する窓口を有して前枠２よりもやや小型の方形枠状に形成された裏セット盤３０が、前枠２の裏側に設けられた裏セット盤固定レバー３９，３９…を利用して着脱可能にセット保持される。裏セット盤３０の各部には、遊技球を貯留する球貯留タンク３１、球貯留タンク３１から供給された遊技球を流下させる過程で前後２列に整列させるタンクレール３２、所定数量の遊技球を整列状態で待機させる待機通路３３、遊技盤１０における入賞状態等に基づいて遊技球を払い出す球払出装置３４、球払出装置３４から払い出された遊技球を貯留ケース２５に導く球払出通路３５などの賞球装置が装備されている。
【００１９】
また裏セット盤３０には、遊技補助盤２０に設けられたアウト球受容口３７ａから受容したアウト球を裏セット盤下端のアウト球排出口３７ｂに導くアウト球通路３７、遊技盤１０における各入賞具１４に入賞し球寄せカバー１８に沿って落下しセーフ球集合樋３８ａで集められたセーフ球を裏セット盤下端のセーフ球排出口３８ｂに導く排出させるセーフ球通路３８が形成されている。裏セット盤３０の裏面側には、電源基盤９１や主基板９２などの各種回路基盤および電子部品等が取り付けられ、これらの各機器および遊技盤１０の裏面に取り付けられた画像制御基板９５が図示省略するワイヤーハーネスで接続されてパチンコ機ＰＭが遊技可能に構成される。
【００２０】
パチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が球送りカセット６１により１球ずつ遊技球発射装置２１に送り出され、遊技球発射装置２１のハンマにより遊技盤１０の遊技領域ＰＡに打ち出されて、以降パチンコゲームが展開される。
【００２１】
以上のように概要構成されるパチンコ機ＰＭにあって、遊技盤１０は遊技盤固定保持装置１００を利用して前枠２の前方から収容枠２ａに着脱可能に固定保持される。以下、図７から図１６の各図を参照して遊技盤固定保持装置１００について説明する。
【００２２】
ここで、図７は遊技盤１０の正面図、図８は遊技盤１０を構成する上下のレール飾り１２，１３の背面図、図９は遊技盤固定保持装置１００の要部を示す正面図、図１０は遊技盤固定保持装置の固定レバーとガラス窓側の規制突起部の形態を略示する斜視図、図１１は遊技盤固定保持装置１００の構成部材を分解状態で示す正面図、図１２は図１１に示した各部材の組み付け状態を示す平断面図、図１３は遊技盤固定保持装置１００による遊技盤の固定状態を示す側断面図、図１４および図１５は遊技盤固定保持装置１００に設けられた固定忘れ防止機構の作用を示す側断面図及び平断面図であって各々図（Ａ）は遊技盤固定保持装置が未固定状態、図（Ｂ）は遊技盤固定保持装置が固定状態、図１６は固定忘れ防止機構の作用を示す平面図である。なお、図１２〜図１５の各断面図は、遊技盤側の固定保持構造の差異を表すため、平断面図については正面右上部の固定保持構造の断面を、側断面図については正面左上部の固定保持構造の断面をそれぞれ示している。
【００２３】
遊技盤固定保持装置１００は、その構成を配設部位に基づいて分類すると、収容枠２ａに設けられた枠側固定保持構造１１０、遊技盤１０に設けられた盤側固定保持構造１２０、およびガラス扉５に設けられた固定忘れ防止機構１３０に大別される。このうち、枠側固定保持構造１１０と盤側固定保持構造１２０とは収容枠２ａに遊技盤１０を固定保持させるための構造であり、固定忘れ防止機構１３０はこれらの固定保持構造が未固定状態であるときに、これを明確にして固定忘れを未然に防止するための機構である。以下各構造について順に分説する。
【００２４】
枠側固定保持構造１１０は、収容枠２ａに前方に向けて膨出成型された有底円筒状のレバー収容部１１１と、収容枠２ａの裏面側にこのレバー収容部１１１の左右に位置して後方に突出成型された保持部材係止部１１２と、保持部材係止部１１２に係止固定されるレバー保持部材１１３と、レバー収容部１１１に収容されて前方に突出しレバー保持部材１１３に回動可能に支持される固定レバー１１５などからなり、遊技盤１０の内外レールの形成位置等を考慮して遊技補助盤２ａの適切な位置に４カ所設けられている。
【００２５】
レバー収容部１１１の前方の支持部（有底円筒における底部）１１１ａには、固定レバー１１５のレバー部１１５ｃの形状に合わせて、これよりもわずかに大きめに開口された菱形のレバー部挿通孔１１１ｃが形成されている。また保持部材係止部１１２は、背面視において相互に内向きに対向するＵ字枠状をなし、後方に突出成型されてレバー保持部材１１３の左右の係止部１１３ｃを裏面側から枠内に受容して係止固定し得るようになっている
【００２６】
固定レバー１１５は、円盤状の回動フランジ部１１５ａと、この回動フランジ部から前方に突出する回動軸部１１５ｂ、回動軸部１１５ｂから外方に張り出された正面視菱形のレバー部１１５ｃ、レバー部１１５ｃの基部裏側に設けられた押圧突起１１５ｄなどからなり、例えばナイロン（ＰＡ）やＡＢＳ樹脂などの樹脂材料を用いて射出成型等の成形手段で一体成型される。
【００２７】
回動フランジ部１１５ａの背面側には、このフランジ部１１５ａを貫通して回動軸部が突設され、レバー部１１５ｃの延びる方向と斜め４５度の相対角度方向に向けて回動軸部から外方に突出する回動規制突起１１５ｆが設けられている。また、回動フランジ部１１５ａの背面側には上記回動規制突起１１５ｆと同様に斜め４５度方向に向けてフランジ面から後方に突出する細リブ状の係合突起１１５ｇが一体成型されている。
【００２８】
レバー保持部材１１３は、円環状の支持フランジ部１１３ａと、この支持フランジ部から後方に延びる支持板部１１３ｂ、支持板部１１３ｂから左右外方に張り出して形成された係止部１１３ｃなどからなり、例えばポリアセタール樹脂（ＰＯＭ）やＡＢＳ樹脂などの樹脂材料を用いて射出成型等の成形手段で一体成型される。
【００２９】
支持フランジ部１１３ａは、円環状に形成されており、その中心に回動フランジ部１１５ａから後方に突出する回動軸部を回動可能に支持する軸受容穴１１３ｅが形成されている。支持フランジ部１１３ａの前面側には、支持板部１１３ｂの一部が延設されて固定レバー１１５の回動規制突起１１５ｆと係合可能な回動規制辺１１３ｆが形成されており、固定レバー１１５を所定の角度範囲を超えて回動させようとしたときに回動規制突起１１５ｆが回動規制辺１１３ｆに当接してそれ以上固定レバー１１５が回動しないように規制する。本実施例においては、上記所定の角度範囲として、レバー部１１５ｃの方位角が鉛直方向から反時計回りに水平になるまでの９０度の角度範囲に設定している。
【００３０】
また支持フランジ部１１３ａの円環部には、ラジアル方向に傾斜する案内斜面とフランジ面に直交する係止面とを有してかみ合いクラッチ状に成型された係止突起１１３ｇが４カ所形成されており、固定レバー１１５を回動させたときに回動フランジ部の２カ所の係合突起１１５ｇが各々対角線上にある係止突起１１３ｇの案内斜面と係合して円環部を後方に弾性変形させ、さらに固定レバー１１５を回動させたときに係合突起１１５ｇが案内斜面を乗り越えて係止面と係合するように構成されている。
【００３１】
この係止突起１１３ｇの係止面の形成角度位置は、上述した固定レバーの回動規制による回動角度範囲と整合して設定されており、固定レバー１１５を回動角度範囲内で回動させたときに、一定の弾性抵抗とクリック感をもって固定レバー１１５が係止され、当該係止位置が上記回動規制のかかる回動角度位置、すなわち、固定レバー１１５が鉛直になる角度位置と水平になる角度位置に係止されるように設定されている。
【００３２】
左右の係止部１１３ｃは、前後に延びるＵ字枠状に成型された保持部材係止部１１２の枠内に嵌合し得るように成型されるとともに、左右の係止部の外側面が上下でスリット状に切り離されて左右に弾性変形可能に形成され、その後部に楔状の固定突起１１３ｄが成型されている。左右の係止部１１３ｃ，１１３ｃは、これらの係止部と支持フランジ部１１３ａとの間を繋いで前後に延びる支持板部１１３ｂで連結されている。
【００３３】
これらの各構成部材は、収容枠２ａの裏面側からレバー収容部１１１に固定レバー１１５を挿入して、レバー部１１５ｃをレバー部挿通孔１１１ｃに挿通させて前方に突出させ、回動フランジ部１１５ａの背後からレバー保持部材１１３を挿入して左右の係止部１１３ｃを保持部材係止部１１２に嵌合させて固定突起１１３ｄを係止させることで収容枠２ａに取り付けられ、枠側固定保持構造１１０が形成される。
【００３４】
このように各部材が取り付けられると、固定レバーの回動フランジ部１１５ａがレバー収容部の支持部１１１ａとレバー保持部材の支持フランジ部１１３ａとの間に挟持され、回動フランジ部１１５ａと支持フランジ部１１３ａとが相対峙して係合状態で配設される。すなわち、回動フランジ部１１５ａから後方に突設された回動軸部が支持フランジ部１１３ａの中心に形成された軸受容穴部１１３ｅに係合して回動可能に受容支持され、回動フランジ部の係合突起１１５ｇが支持フランジ部の円環状のフランジ面と係合した状態で配設される。
【００３５】
固定レバーのレバー部１１５ｃは、レバー収容部１１１における支持部１１１ａよりも前方に突出して回動操作可能に配設され、前述した回動フランジ部の係合突起１１５ｇと支持フランジ部の係止突起１１３ｇとの係合関係により、レバー部１１５ｃが鉛直上下に延びる鉛直角度位置（以下、「解放位置」という）とこの解放位置から反時計回りに９０度回動させた水平角度位置（以下、「係止位置」という）との間で、一定の弾性抵抗とクリック感をもって回動可能に支持される。
【００３６】
盤側固定保持構造１２０は、収容枠２ａに設けられた枠側固定保持構造１１０の配設位置と整合して４カ所設けられている。盤側固定保持構造１２０は、化粧板１１に形成された係止受容部１２１と、化粧板１１にビス固定される上下のレール飾り１２，１３に一体成型された係止受け部１２５とを主体として構成される。
【００３７】
係止受容部１２１は、収容枠側のレバー収容部１１１の配設位置および形状に合わせて、長孔状ないしＵ字切込み状に化粧板１１の板面を前後貫通してルータ加工することによって形成され、収容枠２ａの背面から前方に突出するレバー収容部１１１を受容可能に形成されている。
【００３８】
係止受け部１２５は、レバー収容部１１１の円筒外径と略同一外径の外周リブを有して前方に突出する円形フランジ状に形成され、その前方の係止受け面１２５ａには、解放位置にあるレバー部１１５ｃを前後に挿通させ、挿通されたレバー部１１５ｃを係止位置にしたときにレバー部１１５ｃと係合して遊技盤１０を係止し得る係止開口１２５ｃが形成されるとともに、この係止開口１２５ｃの背面側に開口形状に合わせた縦リブが形成されている。
【００３９】
係止受け面１２５ａの前面位置は、レバー収容部１１１の支持部１１１ａに係止受け部１２５の背面を当接させて支持させたときのレバー部１１５ｃの背面位置よりもわずかに前方に位置するように（すなわちレバー部１１５ｃで係止受け面１２５ａをわずかに締め込むように）設定されており、遊技盤１０における支持基準面になっている。
【００４０】
また係止開口１２５ｃの開口形状は、全体としては、解放位置にあるレバー部１１５ｃの形状に類した縦長の菱形形状であるが、詳細には、正面左側の開口側面は折れ線状に屈曲して係止壁１２５ｄが形成され、正面右側の開口側面は屈曲交点の近傍領域が略円形に外方に逃げて逃げ面１２５ｅが形成されている。これは、レバー部１１５ｃを係止開口１２５ｃから前方に突出させて固定レバー１１５を係止位置に回動させたときに、レバー部基端側の押圧突起１１５ｄが係止開口１２５ｃの左側の係止壁１２５ｄと係脱可能に係合する一方、右側の側壁面とは係合しないように設定しているためであり、これにより遊技盤１０が４カ所全ての係止部で正面左方向に押圧され、詳細図示省略するが収容枠２ａの左側部に形成された支持基準面に当接されて位置決め支持されるように構成している。
【００４１】
なお、遊技盤１０の下方に位置する２カ所の係止受け部１２５には、係止受け部１２５の前方を覆う係止受けカバー１２７，１２８がレール飾り１３に横開き開閉可能に取り付けられており、常には閉鎖状態に保持されてガラス扉５の正面側から遊技盤固定保持装置１００が視認されないようにするとともに、型式シールや著作権シールの貼り付け面を形成している。
【００４２】
このような遊技盤固定保持装置１００を利用して遊技盤１０を収容枠２ａに装着固定するには、まず、ガラス扉５を開放して枠側固定保持構造１１０における４カ所の固定レバー１１５をレバー部１１５ｃが鉛直上下に延びる解放位置に設定しておき、遊技盤１０を前枠２の前方から収容枠２ａに収容する。このとき、係止受容部１２１がレバー収容部１１１を受容して収容枠内に進入し、係止受け面１２５ａがレバー収容部の支持部１１１ａに当接支持される。また、係止開口１２５ｃが固定レバーのレバー部１１５ｃを挿通させて係止受け面１２５ａの前方に突出させる。
【００４３】
次いで、係止開口１２５ｃを通って係止受け面１２５ａの前方に突出したレバー部１１５ｃを摘んで反時計回りに回動させる。
【００４４】
このとき、係止受け部１２５では、固定レバー１１５の回動操作によりレバー部１１５ｃが係止受け面１２５ａに乗り上げるように係合して係止受け面１２５ａを後方に押圧し、レバー部１１５ａの背面とレバー収容部の支持部１１１ａとの間に係止受け部１２５を挟み込むように挟持して、遊技盤１０を前後方向に位置決めして固定保持する。またレバー部１１５ｃの基端側に突出成型された押圧突起１１５ｄが係止開口１２５ｃの係止壁１２５ｄと係合して遊技盤１０を左方に押圧し、固定レバーの係止位置においては係止壁１２５ｄの屈曲部に安定係合して遊技盤１０を押圧固定する。これにより、遊技盤１０がガタなく収容枠２ａに位置決めされ固定保持される。
【００４５】
またこのとき、レバー収容部１１１の内部では、固定レバー１１５における回動フランジ部の上下の係合突起１１５ｇ，１１５ｇが、レバー保持部材１１３における円環状の支持フランジ部１１３ａを弾性変形させながら正面右上及び左下の係止突起１１３ｇ，１１３ｇを乗り越え（解放位置から離脱するクリック）、支持フランジ部１１３ａの前面を反時計回りに摺動する。固定レバー１１５がさらに回動されると、上下の係合突起１１５ｇ，１１５ｇが今度は正面左上及び右下の係止突起１１３ｇ，１１３ｇの案内斜面に乗り上げ、支持フランジ部１１３ａを再び弾性変形させながらこの係止突起を乗り越えて係止位置に到達する（係止位置に到達したクリック）。固定レバーの前端では回動規制突起１１５ｆがレバー支持部材の回動規制辺１１３ｆに当接して過度の回動が規制される。これにより、明確な操作感と確実な係止保持をもって固定レバー１１５が係止位置に係止され遊技盤１０が固定保持される。
【００４６】
ところで、以上説明したような枠側および盤側固定保持構造によれば、遊技盤１０の係止操作がクリック感を伴って明確に認識でき、また遊技盤１０が固定状態にあるか解放状態にあるかも固定レバー１１５の角度位置で明らかに認識できる。しかしながら、開閉操作すべき固定レバー１１５が複数カ所に点在しており、また着脱作業を急ぐあまり２〜３カ所を固定した段階で固定完了と誤認する場合も生じ得る。このため、本パチンコ機ＰＭにおいては、このような誤認によって遊技盤１０が未固定状態のまま遊技に供されることを未然に防止するため、固定忘れ防止機構１３０を設けている。
【００４７】
各図には固定忘れ防止機構１３０における干渉部材として、干渉突起１３５をガラス扉５に設けた例を示している。干渉突起１３５は、ガラス扉５の裏面側にガラス扉５から後方に突出して設けられており、段付き円柱状の突起部がガラス扉５と一体に成型されている。なお、図１０では干渉突起１３５の構成例として２種類の形態を例示している。
【００４８】
干渉突起１３５は、ガラス扉５を閉止させたときにガラス扉の背後に位置して対峙する固定保持構造１１０，１２０の位置に合わせて設けられており、ガラス扉５が閉止方向に揺動されときに、係止位置に位置する固定レバー１１５とは干渉しないが、解放位置に位置する固定レバー１１５のレバー部１１５ｃと干渉するように設定されている。
【００４９】
このため、図１４および図１５における各（Ｂ）図に、固定レバー１１５を係止位置に位置させて、ガラス扉５を閉止させた状態を示すように、干渉突起１３５は固定レバー１１５と干渉することなくレバー部材１１５の上方（正面左上の固定保持構造）または下方（正面右上の固定保持構造）に位置して収容され、ガラス扉５が完全に閉止施錠される。
【００５０】
一方、固定レバー１１５が解放位置にあるときには、この状態を図１４および図１５の各（Ａ）図に示すように、干渉突起１３５の先端部が固定レバーのレバー部１１５ｃと干渉してガラス扉５を閉止させることができない。さらに、このときのガラス扉５の開き角は、図１６（Ａ）（Ｂ）に解放位置にある固定レバー１１５の場所とガラス扉５の開き角との関係を示すように、正面左側の固定レバー１１５（Ｌ）が解放位置にある場合（（Ａ）図）と、正面左側の固定レバー１１５（Ｌ）は係止状態にあるが正面右側の固定レバー１１５（Ｒ）が解放位置にある場合（（Ｂ）図）とで異なり、（Ａ）図に示す正面左側の固定レバー１１５（Ｌ）が解放位置にある場合の方が開き角が大きい。
【００５１】
このため、遊技盤１０の装着作業を行った作業者は、ガラス扉５が閉止できないことで遊技盤１０が完全には固定されていないことを直ちに理解できるとともに、当該未固定の固定レバー１１５が左右いずれの固定レバー１１５（Ｌ），１１５（Ｒ）であるかをも察知することができる。従って、遊技盤の固定忘れを未然に防止して遊技盤１０が不完全な固定状態で遊技に供されることを防止することができる。
【００５２】
なお、上記実施例では、ガラス扉５の背面に干渉突起１３５を設け、固定レバー１１５が解放位置にある状態でガラス扉５を閉止させようとしたときに、干渉突起１３５がレバー部１１５ｃと当接してガラス扉５が閉止できないように構成した例を示したが、固定レバー１１５の前方に係止受けカバー１２７，１２８が設けられているような場合には、例えば、当該係止受けカバーのカバー面に干渉突起１３５が通過可能な突起挿通孔を設けることで上記実施例と同様に構成することができる。また、上記干渉突起１３５と同様の突起部を係止受けカバー１２７，１２８の背面に設け、固定レバー１１５が解放位置にある時には係止受けカバーの突起部が固定レバーのレバー部１１５ｃと当接して閉止されず、これに伴ってガラス扉５が閉止できないように構成してもよい。
【００５３】
さて、上述した遊技盤１０の着脱作業はガラス扉５を開放させた状態で行われるが、この着脱作業中にガラス扉５が自由に開閉揺動するとすれば、ガラス扉５を手で押さえて開放位置に保持しながら作業を行う必要があり作業が繁雑に耐えない。そこで、本パチンコ機ＰＭには、ガラス扉５を遊技盤着脱作業の邪魔にならない所定の開放角度位置（例えば、１１０度程度の開放角度位置）で保持する扉開放保持機構が設けられている。以下、図１７〜図１９の各図を参照しながら扉開放保持機構１５０について説明する。
【００５４】
ここで、図１７は扉開放保持機構１５０によりガラス扉５を開放保持させた状態を示す側断面図（ガラス扉５の背面図）、図１８は扉開放保持機構１５０の分解斜視図、そして図１９は扉開放保持機構１５０の作用を示す平面図である。なお、本機構の説明にあたっては、扉開放保持機構１５０の主要部がガラス扉５の背面側に配設されていることから、図１７および図１８に示すガラス扉５を背面側から見た姿勢における左右方向を左・右と称して説明する。
【００５５】
開放保持機構１５０は、図１８に示すように、ガラス扉５を前枠２に対して開放支持する開放支持部材１５１と、開放支持部材１５１の一端をスライドおよび揺動可能に支持する収容部材１５２と、開放支持部材１５１の他端を係脱可能に係止する係止部材１５３とを主体に構成される。
【００５６】
開放支持部材１５１は、所定板厚の金属板材を用い、切断、折り曲げ、孔あけ等の成形手段により各図に示す形状に形成され、上記所定の開放保持角度においてガラス扉５を前枠２に対して開放支持可能に構成される。開放支持部材１５１の一端には、段付き円柱状の収容部材係合軸部１５１ｂが下方へ突出して固着されており、収容部材１５２のスライド係合孔１５２ｂとスライド移動可能に係合するように構成されている。
【００５７】
開放支持部材１５１の他端には、フック状のピン係止孔１５１ｐが形成されており、収容部材１５２の収容係止ピン１５２ｐおよび係止部材１５３の開放保持係止ピン１５３ｐに係止可能に構成されている。開放支持部材１５１の側部には、操作部１５１ｍが直角に折り曲げられて形成されており、操作部１５１ｍを把持して開放支持部材１５１をスライドおよび揺動させやすいようになっている。
【００５８】
収容部材１５２は、ガラス扉５の上部裏面側に固定される収容部材基部と、この収容部材基部から直角に折り曲げられて後方に水平に突出する収容部材板状部１５２ａとを有してＵ字状に折り曲げ成形されており、所定板厚の金属板材を切断、孔開けおよび曲げ形成して図示する形状に形成される。収容部材１５２は、リベットやネジ等の締結手段によりガラス扉５の裏面側上部に固定される。これにより収容部材１５２は扉開放保持機構の収容部材として機能するほか、ガラス扉５を補強する補強部材としても機能する。
【００５９】
また、収容部材１５２は、後方に水平に突出する収容部材板状部１５２ａを備えてガラス扉５の裏面側上部に固設されており、セルやピアノ線等の異物が遊技盤１０の表面側に入り込みにくくなり、パチンコ機ＰＭにおける遊技盤１０への不正行為を防止する不正防止部材としても機能する。
【００６０】
収容部材板状部１５２ａの中間領域には、収容部材係合軸部１５１ｂの下段の軸外径よりも幾分広い溝幅のスライド係合孔１５２ｂが左右に延びて形成されており、開放支持部材１５１の収容部材係合軸部１５１ｂを受容してスライド移動可能に係合するようになっている。スライド係合孔１５２ｂの右端側には、この係合孔１５２ｂと繋がって前方に延びる開放保持係止孔１５２ｃが形成されており、収容部材係合軸部１５１ｂを係止可能に構成されている。
【００６１】
収容部材板状部１５２ａの右端側には、開放支持部材１５１のピン係止孔１５１ｐと係脱可能な収容係止ピン１５２ｐが固着されている。そして、開放支持部材１５１の収容部材係合軸部１５１ｂをスライド係合孔１５２ｂの左端までスライド移動させた状態で、開放支持部材１５１をガラス扉５の方に揺動させてピン係止孔１５１ｐを収容係止ピン１５２ｐに係止させると、開放支持部材１５１が収容部材板状部１５２ａの上部に平行に位置し、これにより開放支持部材１５１が収容部材１５２に収容保持されるようになっている。
【００６２】
接続部材１５４は、例えば、樹脂材料を用いて射出成形等の成形手段により円筒状に一体的に形成される。接続部材１５４の中央部には嵌合孔が形成されており、開放支持部材１５１の収容部材係合軸部１５１ｂと嵌合するようになっている。
【００６３】
そして、開放支持部材の収容部材係合軸部１５１ｂを収容部材板状部のスライド係合孔１５２ｂに上方から通過させた状態で、接続部材１５４の嵌合孔に収容部材係合軸部１５１ｂを圧入して嵌合させることで、接続部材１５４に開放支持部材１５１の上方への移動が規制されて、収容部材係合軸部１５１ｂがスライド係合孔１５２ｂとスライド移動可能に係合する。これにより、収容部材係合軸部１５１ｂを揺動軸として開放支持部材１５１が収容部材１５２に揺動自在に且つスライド移動自在に連結される。なお、接続部材１５４を金属材料で形成し、収容部材係合軸部１５１ｂをスライド係合孔１５２ｂに係合させた状態で下方に突出した軸端にカシメ圧着するように構成してもよい。
【００６４】
係止部材１５３は、前枠２の上部裏面側に固定される係止部材基部１５３ａと、この係止部材基部１５３ａから直角に折り曲げられて前方に水平に突出する係止部材板状部１５３ｂ、および係止部材板状部１５３ｂから下方に突出して固着された開放保持係止ピン１５３ｐを主体に構成される。係止部材基部１５３ａには複数の固定孔１５３ｈ，…が孔開け形成されており、リベットやネジ等の締結手段をこれら複数の固定孔１５３ｈ，…に通過させて前枠２へ締結固定させることで、係止部材基部１５３ａすなわち係止部材１５３が、前枠２の上部正面側に固設される。なお、係止部材１５３は収容枠２ａよりも上方の前枠上部に設けられており、遊技盤１０の着脱作業の妨げにならないようになっている。
【００６５】
係止部材板状部１５３ｂに固着された開放保持係止ピン１５３ｐは、開放支持部材１５１のピン係止孔１５１ｐを係止可能に構成されている。そして、ガラス扉５が前枠２に対して開放保持角度まで揺動させた状態で、開放支持部材１５１のピン係止孔１５１ｐを開放保持係止ピン１５３ｐに係止させるとともに、開放支持部材１５１の収容部材係合軸部１５１ｂをスライド移動させて収容部材板状部１５２ａの開放保持係止孔１５２ｃに係止させると、図１７および図１９に示すように、開放支持部材１５１によりガラス扉５が開放保持角度において前枠２に対して開放支持されるようになっている。
【００６６】
また、ガラス扉５を開閉揺動可能に支持するヒンジ機構７ａ，７ｂ、およびガラスアッセンブリ５２を開閉揺動可能に支持するヒンジ機構５３ａ，５３ｂの両ヒンジ機構の基板を兼ねる扉枠５１は、前枠側の側縁が直角に折り曲げられてガラス扉の裏面方向に延びるリブ５１ｒが形成される一方、上方のヒンジ機構７ａには下方に突出して揺動規制ピン１５５が固着されており、ガラス扉５が開放保持角度を超えて揺動されたときにリブ５１ｒが揺動規制ピン１５５に当接して、ガラス扉５の開放方向への揺動を規制するようになっている。
【００６７】
このように構成される開放保持機構１５０において、開放支持部材１５１を収容部材１５２に収容するには、開放支持部材１５１の収容部材係合軸部１５１ｂをスライド係合孔１５２ｂの左端までスライド移動させ、この状態で開放支持部材１５１をガラス扉５の方に揺動させてピン係止孔１５１ｐを収容部材１５２の収容係止ピン１５２ｐに係止させる。これにより、開放支持部材１５１が収容部材板状部１５２ａの上部に平行に位置して収容部材１５２に収容保持され、常にはこの状態でパチンコ機ＰＭが使用に供される。
【００６８】
一方、開放保持角度においてガラス扉５を前枠２に対して開放保持させるには、まず、ガラス扉５を前枠２に対して横開き開放させた状態で、操作部１５１ｍを利用して開放支持部材１５１を引き出し、ピン係止孔１５１ｐと収容係止ピン１５２ｐとの係止状態を解除させる。次いで開放支持部材１５１を揺動およびスライド移動させてスライド係合孔右端の開放保持係止孔１５２ｃに係止させ、ガラス扉の開き角を調整してピン係止孔１５１ｐを係止部材１５３の開放保持係止ピン１５３ｐに係止させる。
【００６９】
これにより、開放支持部材１５１が、ガラス扉側の開放保持係止孔１５２ｃと前枠側の開放保持係止ピン１５３ｐとの間に張り渡され、図１７および図１９に示すように、ガラス扉５が開放保持角度に保持される。
【００７０】
上述したように、この開放保持角度は遊技盤１０着脱作業を行う際に作業の邪魔にならない開放角度位置（例えば、１１０度程度の開放角度位置）に設定されているため、遊技盤１０の着脱作業や遊技盤面の保守作業等を容易かつスムーズに行うことができ、またこの開放保持角度にガラス扉５が係止保持されるため、ガラスアッセンブリ５２の着脱作業も容易に行うことができる（図６を併せて参照）。ガラス扉５が前枠２に対して開放保持された状態から、開放支持部材１５１を収容部材１５２に収容するには、開放保持と逆の手順で作業を行えばよい。
【００７１】
なお、ピン係止孔１５１ｐに代えてローレットネジを回動自在に装着し、係止部材１５３の開放保持係止ピン１５３ｐに代えてローレットネジと螺合する雌ネジ部を設けて、これらを螺合締結させるように構成してもよい。このような構成によれば、開放保持角度での開放保持をより強固にすることができるほか、ガラス扉５を開放保持させる際に適当な開放角度位置でローレットネジを係止部材１５３に螺合させ、あとは開放保持角度をわずかに超える角度位置までガラス扉５を開放させるだけで、ガラス扉５を開放保持角度に係止保持させることができるため、開放保持操作をさらに容易化することも可能である。
【００７２】
さて、前示説明したように、本パチンコ機ＰＭでは、化粧盤１１の前面にビス止めされる上下のレール飾り１２，１３に、遊技盤固定保持機構１００における係止受け部１２５を一体成型により形成して盤側固定保持構造１２０の簡明化を図っているが、本パチンコ機ＰＭでは、この上下のレール飾り１２，１３にさらに多くの機能を持たせて部材コストや組み立てコストの低減を図っている。以下、既に参照した図７、図８、および図２０〜図２７の各図を参照しながらレール飾りについて説明する。
【００７３】
ここで、図２０はアウト口１７の近傍領域を主として示すレール飾りの正面図、図２１は同領域のレール飾りの背面図、図２２および図２３はアウト口から排出されたアウト球の流れを示す平断面図および側断面図、図２４および図２５はアウト口の他の構成例を示すレール飾りの背面図および平断面図、図２６はさらに異なるアウト口の構成例を示すレール飾りの背面図（Ａ）ならびに側断面図（Ｂ）、図２７はこれらのレール飾りが取り付けられる化粧板の構成形態を略示する説明図である。
【００７４】
レール飾りは、化粧盤１１の前面にビス止めされる上レール飾り１２と下レール飾り１３とからなり、これら上下のレール飾１２，１３で遊技盤の中央部を取り囲んで遊技領域ＰＡを区画形成するとともに、遊技領域を取り囲む内周壁面を略半円形に成型することにより遊技球の移動範囲を設定するガイドレール面１６１，１６２を形成している。さらに、下レール飾り１３には、遊技領域内で入賞具１４に入らずに遊技領域の下部に落下移動してきた遊技球を導入して遊技盤１０の後面側に排出させるアウト口１７が形成されている。
【００７５】
まず、化粧盤１１の上部に取り付けられる上レール飾り１２は、正面視において遊技盤１０の左下部から右中央部にかけて設けられており、全体としては外郭方形で内周が下向き凹状の半円形に成型されている。上レール飾り１２の内周壁面は、遊技盤１０の正面左下部から左斜め上方に延び、その後滑らかに円弧状に湾曲して返しゴム１９の外側に至り、さらに返しゴム１９の内側から再び円弧状に湾曲して右中央部に至るように形成されている。
【００７６】
このうち、遊技盤１０の正面左下部から左斜め上方に延び、その後滑らかに円弧状に湾曲して返しゴム１９の外側に至る内周壁面１６１は、遊技球発射装置２１から打ち出された遊技球を滑らかに遊技領域ＰＡに導く「外ガイドレール」ないし「飛送レール」と称されるガイドレールのレール面の形状に成型されており、このレール面（以下、便宜的に「外レール面」という）１６１に沿ってレール面の摩滅を防止する帯板状のレール面保護部材１６７が嵌着されている。
【００７７】
このため、遊技球発射装置２１から打ち出された遊技球は、一定程度上昇したところでレール面保護部材１６７に滑らかに接触し、上方で湾曲する外レール面１６１に沿って遊技領域ＰＡに向かう。そして、通常では、薄片板バネ状の球戻り規制片１６を弾性変形させて外レール面１６１との間隔を拡大させ、この規制片１６を乗り越えるようにして遊技領域ＰＡに到達する。
【００７８】
また、返しゴム１９の内側から円弧状に湾曲して下方に延び右中央部に至る内周壁面は、次述する下レール飾り１３の内周壁面と滑らかに繋がる内レール面１６２を形成し、略円形の遊技領域ＰＡを区画して遊技領域内の遊技釘や風車に弾かれてランダムに転動落下する遊技球が遊技領域ＰＡの外方に飛散しないように遊技領域内に閉じこめるとともに、下方のアウト口１７に向けて案内する。
【００７９】
一方、化粧盤１１の下部に取り付けられた下レール飾り１３は、正面視において遊技盤１０の左上部から右中央部にかけて設けられており、全体としては外郭方形で内周が上向き凹状の半円形に成型されている。下レール飾り１３の内周壁面は、遊技盤１０の正面右中央部で上レール飾り１２の内レール面１６２と滑らかに繋がり、この右中央部から滑らかに円弧状に湾曲してアウト口１７を通り、さらに円弧状に湾曲して外レール面１６１の内側を左上方に至るように形成されている。
【００８０】
この円弧状の内周壁面１６３は、従来では「内ガイドレール」と称されるガイドレールのレール面形状に成型されており、このレール面（「内レール面」という）１６３と、上述した上レール飾り１２に形成された内・外レール面１６２，１６１とによって略円形の遊技領域ＰＡを形成する。
【００８１】
また、外レール面１６１に沿って左上方に湾曲して延びる上腕部１６４の外側壁面は、外レール面１６１との間に下部で広く上部で略平行に延びる先細状の発射通路１６５を形成するとともに、上腕部１６４の上端には球戻り規制片１６を支持する規制片支持部１６６が一体成型されている。
【００８２】
このため、遊技球発射装置２１から打ち出された遊技球が確実に発射通路１６５に進入し、一定程度上昇したところでレール面保護部材１６７に滑らかに接触して外レール面１６１に沿って遊技領域ＰＡに向かい、球戻り規制片１６を弾性変形させて遊技領域ＰＡに到達する。遊技領域ＰＡに到達した遊技球は、多数の遊技釘や風車に弾かれてランダムに転動落下するが、その飛翔範囲は上述した外ガイドレール面１６１、内ガイドレール面１６２，１６３に囲まれた遊技領域内に制限され、この領域を越えて外方に飛散したり発射通路１６５側に戻ったりすることがなく、確実に遊技領域内で遊技を展開させる。そして入賞具１４に落入せずに落下したアウト球は、下レール飾り１３の内レール面１６３上を転動し、このレール面に案内されてアウト口１７に導かれる。
【００８３】
アウト口１７は、左右の内レール面１６３，１６３の間を繋いで凹状に成型されたアウト球導出面１７１と、アウト球導出面１７１をまたいでアーチ状に立設されたアウト口飾り部１７２と、アウト口飾り部１７２の裏面側に後方に延びて突出成型されたアウト口周壁部１７３等からなり、下レール飾り１３の下部に一体成型されて前後連通するアウト口開口を有したアウト口１７が形成される。一方、この下レール飾り１３が取り付けられる化粧板１１の下端には、アウト口１７の形成位置および形状寸法に合わせて、図２７（Ｂ）に略示するような下方に開くＵ字状の下部切り欠き１１ａがルータ加工により形成されている。
【００８４】
アウト球導出面１７１は、左右の内レール面１６３，１６３の間を繋いで一定の段差を有する凹状に形成されるとともに、その通路面が後方に傾斜して成型されており、右または左側の内レール面１６３を転動流下してきたアウト球がアウト口１７を通過して左右に往復揺動を繰り返すことなく、アウト球導出面１７１から速やかに後方に導出されるようになっている。
【００８５】
アウト口飾り部１７２は、左右の内レール面１６３，１６３の後縁部を繋いでアウト球導出面１７１をまたぐ薄板アーチ状に立設成型され、その前面側には所要の意匠が施されて、下部切り欠き１１ａの加工端面をカバーして見栄えよく装飾している。本実施例に示すアウト口飾り部１７２は、下レール飾り１３に一体成型により設けられているため、部品点数や組み立て工数を削減することができ、さらに、平面視において左右の内レール面１６３と滑らかなテーパ面で段差なく繋がって良好な球流れを実現している。
【００８６】
アウト口周壁部１７３は、背面視においてアウト球導出面１７１の上方を囲む逆Ｕ字状の囲壁形態をなし、アウト口飾り部１７２の裏面側に後方に延びて一体成型されている。上述したように本実施例ではアウト口背後の化粧板を下端開放の下部切り欠き１１ａ形態としており、アウト口周壁部１７３はこの下部切り欠き１１ａの形状に合わせて加工端面をカバーするようになっている。
【００８７】
一方、遊技盤１０が固定保持される収容枠２ａには、アウト口１７の配設位置に整合してアウト口１７から遊技盤１０の裏面側に排出されたアウト球ＢＯを受容するアウト球受容口３７ａが設けられ、その背後の裏セット盤３０にはアウト球受容口３７ａから導かれたアウト球ＢＯを裏セット盤下端のアウト球排出口３７ｂから排出させるアウト球通路３７が形成されている。また収容枠２ａには、入賞具１４に落入して球寄せカバー１８に沿って落下したセーフ球ＢＳを集合させるセーフ球集合樋３８ａが形成され、裏セット盤３０には集合されたセーフ球ＢＳを裏セット盤下端のセーフ球排出口３８ｂから排出させるセーフ球通路３８が形成されている（図５、図６を併せて参照）。
【００８８】
このため、遊技球発射装置２１により打ち出されて遊技領域ＰＡに到達した遊技球のうち、入賞具１４に落入せずに遊技領域ＰＡを落下したアウト球ＢＯは、下レール飾り１３に形成された内レール面１６３を転動流下して下端のアウト口１７に導かれ、ここで凹状のアウト球導出面１７１に転入して往復揺動を繰り返すことなく速やかに後方に導出される。アウト球導出面１７１で後方に導かれたアウト球は、アウト球導出面１７１の後端縁部から落下して直ちにアウト球受容口３７ａに受容され、アウト球通路３７を流下して裏セット盤下端のアウト球排出口３７ｂから排出される。
【００８９】
一方、遊技領域内を落下する過程で入賞具１４に落入したセーフ球ＢＳは、化粧板１１の裏面にビス止めされた球寄せカバー１８に沿って落下し、セーフ球集合樋３８ａおよびセーフ球通路３８を流下して裏セット盤下端のセーフ球排出口３８ｂから排出される。
【００９０】
従って、以上のように構成されるパチンコ機ＰＭによれば、レール飾り１２，１３にレール面１６１，１６２，１６３やアウト口１７が（さらには遊技盤固定保持構造１００の係止受け部１２５や球戻り規制片１６を支持する規制片支持部１６６までもが）一体成型によって形成されるため、従来多数の部品を組み付けていた遊技盤１０の構成を簡明化して、部品点数や組み立て工数を大幅に削減することができる。
【００９１】
また、下レール飾り１３に形成されたアウト口１７では、化粧板１１に下端開放形態の下部切り欠き１１ａが形成され、この下部切り欠きの形状に合わせて加工端面をカバーするアウト口周壁部１７３が設けられている。このため、アウト球導出面１７１により後方に導かれたアウト球ＢＯが、化粧板１１の加工端面上を転動したり加工端面に衝突したりすることがなく、一般に積層合板が用いられる化粧板から破断片が発生したり、積層間に段差が生じてアウト球の流下を妨げたりするようなことがない。
【００９２】
なお、アウト球が垂直に近い角度で衝突してくるアウト口近傍の内レール面１６３の外周側には、外側に向けて補強用のリブ１７７が複数成形されてレール面の強度を向上させている。また、内レール面１６３とアウト球導出面１７１には、これらのレール面形状に合わせて形成されたレール面保護部材１６８が着脱可能になっている。レール面保護部材１６８は、例えば板厚０．５ｍｍ程度のステンレス鋼板や冷間圧延鋼板等をアウト球導出面１７１および左右の内レール面の形状に合わせて曲げ成型して形成され、その前後の縁部には下方に突出して係止クリップ１６８ｃ，１６８ｄが形成されている。下レール飾り１３にはこれら前後の係止クリップを受容して嵌合支持可能なクリップ受容溝１７８ｃ，１７８ｄが成型されており、遊技盤１０のゲージ設定によってアウト球の落下速度が大きいような場合には、必要に応じてレール面保護部材１６８を嵌着して使用できるようになっている。
【００９３】
次に、図２４および図２５には、アウト口近傍部の構成のみが上述した下レール飾り１３と異なる形態の下レール飾り１３′を例示しており、以下、このアウト口１７′の構成について説明する。なお、上述した実施例と同様の構成部分には同一番号を付して重複説明を省略する。
【００９４】
本実施例のアウト口１７′は、上述した実施例のアウト口１７におけるアウト口飾り部１７２と、アウト口飾り部１７２の裏面側に後方に延びて成型されたアウト口周壁部１７３とが、下レール飾り本体から分離されて別体のアウト口形成部材１８０として成型されており、このアウト口形成部材１８０が下レール飾り１３′の下部に着脱可能に取り付けられて構成される。
【００９５】
アウト口形成部材１８０は、前面に所要意匠が施されてアウト球導出面１７１をまたぐアーチ状に形成されたアウト口飾り部１８２と、アウト口飾り部１８２の裏面側に化粧板１１の下部切り欠き１１ａの位置形状に合わせて後方に延びて形成されたアウト口周壁部１８３、アウト口飾り部１８２の下部左右に形成されたサラコネジ受容孔１８４などから構成される。
【００９６】
下レール飾り１３′には、左右の内レール面１６３，１６３の間を凹状に繋いでアウト球導出面１７１が成型される一方、アウト口形成部材１８０が取着される領域がアウト口飾り部１８２の厚さ分だけ座ぐり成型されてアウト口形成部材取着部１８５が形成され、下レール飾り１３′の前面側からサラコネジ受容孔１８４の形成位置と整合して円筒状のネジボス１８６が成型されている。
【００９７】
アウト口形成部材１８０は、下レール飾り１３′の背面側からアウト口形成部材取着部１８５に装着され、左右のサラコネジ受容孔１８４に図示省略するサラコネジを挿通させてネジボス１８６に螺合締結することで下レール飾り１３′に固定され（図２６を参照）、下レール飾り１３′の下部に前述したアウト口１７と同様に前後連通するアウト口開口を有したアウト口１７′が形成される。
【００９８】
このため、このようなアウト口１７′を備えたパチンコ機にあっても、前述したアウト口１７を備えたパチンコ機と同様に、アウト球導出面１７１に転入したアウト球ＢＯを速やかに後方に導出させることができ、アウト球導出面１７１の後端縁部から直ちにアウト球受容口３７ａに落入させてアウト球通路３７を流下させ裏セット盤下端のアウト球排出口３７ｂから排出させることができる。
【００９９】
一方、図２６に示すアウト口１７″は、前記同様の下レール飾り１３′に上述したアウト口形成部材１８０と異なる形態のアウト口形成部材１９０を取着した構成例を示している。
【０１００】
アウト口形成部材１９０は、前面に所要意匠が施されてフランジ状に形成されたアウト口飾り部１９２と、アウト口飾り部１９２の裏面側にやや丸みを帯びた角筒状に後方に突出成型されたアウト口周壁部１９３、アウト口飾り部１９２の下部左右に形成されたサラコネジ受容孔などから構成される。
【０１０１】
アウト口周壁部１９３は、化粧板の下部に図２７（Ａ）に示すようなアウト球を挿通させるための貫通孔１１ｂが形成された形態の遊技盤に対応して、化粧板１１′の貫通孔１１ｂの位置形状に合わせて成型されており、ルータ加工された貫通孔１１ｂの加工端面をカバーするように形成されている。
【０１０２】
アウト口形成部材１９０は、下レール飾り１３′の背面側からアウト口形成部材取着部１８５に装着され、左右のサラコネジ受容孔にサラコネジ１８７を挿通させてネジボス１８６に螺合締結することで下レール飾り１３′に固定され、下レール飾り１３′の下部に、化粧板１１を前後に貫通するアウト口開口を有したアウト口１７″が形成される。
【０１０３】
従って、以上説明したようなアウト口形成部材１８０，１９０を用いたパチンコ機においても、前述したパチンコ機と同様に部材コストや組み立てコストを低減させることができるほか、化粧板に形成された貫通孔１１ａもしくは下部切り欠き１１ｂのいずれに対してもこれに対応するアウト口を形成することができ、アウト口周辺を補強したり遊技盤の意匠に合わせてアウト口周辺の外観デザインを変更したりすることを簡単に行うことができる。また、下レール飾り１３′ではアウト口周壁部（１７３）が後方に突出成型されないため、下レール飾り１３′の厚さを略一定厚さにすることができ、部材の加工成型や取り扱いを容易化することができる。
【０１０４】
ところで、以上のように構成されるパチンコ機ＰＭにおいて、遊技球発射装置２１は操作ハンドル８の操作量（回動操作角）に応じて遊技球の打ち出し強度が変化するように構成されており、出荷時には遊技領域ＰＡの全域に遊技球を打ち出せるように調整されている。しかしパチンコ機ＰＭに供給される電力変動が所定範囲を超えるようなると、操作ハンドル８の操作量と遊技球の打ち出し強度との関係が必ずしも一定にならず、遊技領域ＰＡに到達できずに発射通路１６５を遊技球発射装置２１側に戻ってくる遊技球（いわゆるファール球）が生じる。
【０１０５】
このため、パチンコ機ＰＭには、このように落下して戻ってくるファール球を受容して回収するファール球回収構造が遊技球発射装置２１の上方に設けられている（図３を参照）。
【０１０６】
遊技球発射装置２１の上方には、球皿側の球送りカセット６１から送り出された遊技球をハンマ２１ｈの揺動軌跡上に保持する発射球ホルダ２１ｆが設けられ、この発射球ホルダ２１ｆから左斜め上方に延びて平断面視凹状の発射ガイド２１ｇが設けられている。発射ガイド２１ｇの上部は遊技補助盤２０の左上部に取り付けられたファール球回収部材２２に形成されており、その上端に発射口２２ｈが開口している。ファール球回収部材２２には、発射口２２ｈを挟むように左右に位置して前方に突出し、上方に開口するバスケット状のファール球回収口２２Ｌ，２２Ｒが形成されている。
【０１０７】
ファール球回収口２２Ｒの右側では、遊技補助盤２０が後方に膨出されて貯留ケース２５を収容保持する貯留ケース収容部２４が形成されており（図２３を参照）、ここに底面傾斜形態で横長箱状の貯留ケース２５が収容保持される。貯留ケース２５の左側壁には壁面を貫通してファール球導入口が形成され、このファール球導入口とファール球回収口２２Ｌ，２２Ｒとの間がファール球回収通路で繋がっている。また貯留ケース２５の右端前面にはケース出口が設けられ、常には閉鎖状態にある球皿６の球貯留皿に連通している。
【０１０８】
遊技盤１０側では、外レール面１６１が遊技盤１０の下部で正面左側に待避して成型され、外レール面１６１と上腕部１６４の外側面との間の発射通路１６５が遊技球発射装置２１側で広く球戻り規制片１６側で狭い先細上に形成されている。
【０１０９】
このため、遊技球発射装置２１のハンマ２１ｈに打ち出され発射ガイド２１ｇに沿って打ち上げられた遊技球（「発射球」という）は、遊技盤の発射通路１６５を一定程度上昇したところで外レール面１６１に滑らかに接触して遊技領域ＰＡに向かう。一方、球戻り規制片１６を超えることができずに戻ってくるファール球は、一般的に上腕部外側の上向き面に沿って転動流下した後、この面を離れてほぼ垂直に落下し、左側に待避成型された外レール面１６１のレール面に沿うようにして遊技補助盤２０側に戻ってくる。
【０１１０】
ここには、上述した左側のファール球回収口２２Ｌが上方に開口して設けられており、このように落下してくる大多数のファール球が左側のファール球回収口２２Ｌに落入する。そして後方のファール球回収通路を通って貯留ケース２５に入り、このケース内を流下して球皿６に排出され、ここで整列されて球送りカセット６１を介して再び遊技球発射装置２１に送り出される。このため、遊技者は、従来のように下球皿に排出されたファール球を逐一手ですくいあげて上球皿に戻す煩雑な作業を行う必要がなく、またこの作業によって手が汚れることを気にすることもなく安心して遊技を楽しむことができる。
【０１１１】
一方、打ち出された発射球が上腕部１６４の上方で一旦停止し、ファール球がゆっくりと戻ってくるような場合には、落下するファール球と後続の発射球とが発射通路１６５で衝突する状況が希に発生する。このような状況下でも、通常では、衝突した２球が一緒になって外レール面１６１に沿って落下するが、衝突位置によってはファール球の落下ルートが右方向にずれてくることも考えられる。このため発射口２２ｈの右側にもファール球回収口２２Ｒが設けられており、右方向に落下してきたファール球を受容してファール球回収通路に導き以下同様にして遊技球発射装置２１に循環させるようになっている。
【０１１２】
ただし、このように落下ルートが変化したファール球の中には、希ではあるが発射ガイド２１ｇ内に直接落下するものがあり、またファール球回収口２２Ｌの側縁に衝突して発射口２２ｈ内に転入してくるものや、ファール球回収口２２Ｌに向かう途中で発射球に接触し発射球の飛翔ルートを変化させるものなどもあり、できるだけ速やかに且つ確実にファール球を発射通路１６５から排出させる構造が好ましい。そこで、次にこのような機能を有するファール球誘導構造を遊技盤に備えたパチンコ機ＰＭ２について、図２８〜３５の各図を参照しながら説明する。
【０１１３】
ここで、図２８は既に参照した図４に対応する図面であってガラス扉５および球皿６を開放して遊技盤１０を取り外した状態におけるパチンコ機ＰＭ２の正面図、図２９は遊技球発射装置２１から遊技領域ＰＡまでの発射通路を主として示す正面図、図３０は第１のファール球誘導構造２００の構成を示す正断面図、図３１はこの誘導構造に用いられる固定誘導部材２０２の斜視図、図３２は図３０中のＦ３２−Ｆ３２矢視断面図、図３３は図３０中のＦ３３−Ｆ３３矢視断面図、図３４は図３０中のＦ３４−Ｆ３４矢視断面図、図３５はこのファール球誘導構造の作用を示す説明図（正断面図）、図３６は図２８中の矢印Ｆ３６〜方向に見たファール球の流れを主として示す平断面図である。
【０１１４】
なお、このパチンコ機ＰＭ２は、既述したパチンコ機ＰＭと、遊技盤１０における発射通路１６５の部分の構成だけが異なり、遊技盤１０における他の部分の構成や、遊技補助盤２０、裏セット盤３０等のパチンコ機の本体構造は同様である。そこで、以下では同様部分に同一番号を付して重複説明を省略し、第１のファール球誘導構造２００について詳細に説明する。
【０１１５】
第１のファール球誘導構造２００では、上レール飾り１２′の左下部が下方に延設され、化粧板１１の左下端部まで覆って一体成型されている。この延設部の発射通路１６５側には、遊技補助盤側の発射ガイド２１ｇの延長線上に位置して左斜め上方に延びるガイド壁２０１が立設され、その壁面の左側に第１ファール球通路２１０が形成される。第１ファール球通路２１０の上部は連通開口２１１で発射通路１６５と連通し、第１ファール球通路２１０の下端部では導出開口２１２が左側のファール球回収口２２Ｌの上方に位置して開口している。
【０１１６】
上レール飾り１２′には、第１ファール球通路２１０の内側に向けて突出する緩衝突起２０４ａ，２０４ｂ，２０４ｃが設けられるとともに、通路壁２０１の下端には緩衝突起の機能と下レール飾り１３′の取付ビス挿通孔とを兼ね備えたネジカラー２０４ｄが上記緩衝突起２０４ａ〜２０４ｃとともに一体成型で形成されている。
【０１１７】
ガイド壁２０１には、発射通路側のガイド壁の摩滅やガイド壁２０１の上端部を保護する固定誘導部材２０２が取り付けられている。固定誘導部材２０２は、発射通路側の壁面を構成するレール面２０２ａ、落下してくるファール球を受けてガイド壁２０１の上端部を保護する誘導突部２０２ｂ、レール面をガイド壁に密着支持させる嵌合支持部２０２ｃ、および固定誘導部材２０２を固定するための固定フランジ部２０２ｄ等からなり、例えば０．５〜１ｍｍ程度のステンレス鋼板や冷間圧延鋼板等を用いて、ガイド壁２０１の壁面形状に合わせた図示形状に加工成形して構成される。固定誘導部材２０２は、上レール飾り１２′の裏面側からガイド壁に嵌着され、固定フランジ２０２ｄと位置整合するネジカラー２０４ｄをビス止めすることで上レール飾り１２′とともに化粧板１１に固定される。
【０１１８】
一方、下レール飾り１３′には、上腕部１６４から発射通路１６５に向けて突出する第１誘導突起２０３が一体成型されている。第１誘導突起２０３の形成位置は、発射通路１６５を挟んで対峙する外レール面１６１の下端位置と、ほぼ同程度の高さ位置、若しくはこれよりも低めに設定され、その上面が連通開口２１１に向けて傾斜して形成されている。
【０１１９】
ここで、図３０中にＷ１，Ｗ２，Ｗ３を付記して示す各部の寸法関係は、遊技球の直径をＤＰとしたときに、Ｗ１すなわち遊技球発射装置２１から発射された発射球の飛翔ルート上の通過幅がＷ１＞ＤＰであり、発射球が誘導突起２０３に当接することなく通過するようになっている。また、図３０中のＦ３２−Ｆ３２視断面図を示す図３２にＷ２とＷ３との関係を併記するように、Ｗ２＞Ｗ３、Ｗ２＞ＤＰであり、かつＷ２−Ｗ３＜（１／２）ＤＰとなるように設定している。なお、各図に示す実施例では、具体的には、Ｗ３＝ＤＰ程度の寸法に設定している。
【０１２０】
また、Ｈ１は、発射ガイド２２ｇおよびガイド壁２０１の設定傾斜角においてＷ２−Ｗ３が上式を満足するように設定され、具体的には、発射通路１６５の上方から落下してきたファール球のうち、第１誘導突起２０３の上面に衝突しあるいは上端角部に接触したファール球が、連通開口２１１を通って第１ファール球通路２１０に落入するように（Ｈ１≒２ＤＰ程度に）設定されている。
【０１２１】
このため、発射通路１６５の上方から落下してきたファール球のうち、第１誘導突起２０３に当接して落下方向が左方向に屈折されたファール球は、連通開口２１１を通って第１ファール球通路２１０に落入し、また第１誘導突起２０３に接触することなく発射通路１６５を鉛直に落下してきたファール球は、たとえガイド壁上端の誘導突部２０２ｂに衝突したとしても、その衝突位置が正面視において遊技球の球心よりも右側となり、このため誘導突部２０２ｂに左斜め下方に弾かれて第１ファール球通路２１０側に転落し、いずれも発射通路側に落下することがない。
【０１２２】
第１ファール球通路２１０には、ガイド壁２０１および上レール飾り１２′の左側壁からファール球通路の内側に向けて複数の緩衝突起２０４ａ，２０４ｂ，２０４ｃおよびネジカラー２０４ｄが突出成形されており、ファール球が導出開口２１２に直接落下しないようになっている。このため、図３２〜図３５の各図に発射球ＢＨを実線で、ファール球ＢＦを点線で示すように、連通開口を通って第１ファール球通路２１０に落入したファール球ＢＦは、第１ファール球通路２１０を落下する途中で緩衝突起等２０４ａ〜２０４ｄに当接して多段に折り返され、落下速度が緩和された状態で下端の導出開口２１２から左側のファール球回収口２２Ｌに落入する。
【０１２３】
一方、下レール飾り１３′の下端部には、遊技補助盤２０側の発射口２２ｈの直上に位置して第２誘導突起２０５が前方に突出成形されている。この第２誘導突起２０５によって、第２誘導突起２０５の左側に発射球が誘導突起２０３に当接することなく通過する発射通路１６５が形成される一方、第２誘導突起２０５の左右に発射通路１６５から斜め下方に分岐する第２ファール球通路２１５，２２５が形成される。このうち右側の第２ファール球通路２１５は右側のファール球回収口２２Ｒに向けて形成され、左側の第２ファール球通路２２５は発射通路１６５を横切って左側のファール球回収口２２Ｌに向けて形成される。
【０１２４】
発射通路１６５を上方から落下してきたファール球ＢＦのうち、第１誘導突起２０３に接触することなく、かつ外レール面１６１の下端部に接触等して落下方向が右方向に屈折されたようなファール球は、まずガイド壁２０１の上端の誘導突部２０２ｂに当接する。そして、このときファール球の落下方向は、当接位置が遊技球の球芯よりも正面視右側の時には左斜め下方に屈折されて前述同様に第１ファール球通路２１０を落下し、当接位置が遊技球の球芯よりも正面視左側の時には右斜め下方に屈折されて発射通路１６５を斜めに落下し第２誘導突起２０５に衝突する。
【０１２５】
そして、第２誘導突起２０５に衝突したときの当接位置が遊技球の球芯よりも正面視右側の時には左斜め下方に屈折されて左側の第２ファール球通路２２５を通って左側のファール球回収口２２Ｌに落入し、当接位置が遊技球の球芯よりも正面視左側の時には右斜め下方に屈折されて右側の第２ファール球通路２１５を通って右側のファール球回収口２２Ｒに落入する。
【０１２６】
こうして左右のファール球回収口２２Ｌ，２２Ｒに落入したファールＢＦ球は、ファール球回収口２２Ｌ，２２Ｒ内の傾斜する受容壁面で後方に案内され、ファール球回収口２２Ｌ，２２Ｒと貯留カセット２５のファール球受容口２５ｆとの間を繋いで遊技補助盤２０に形成されたファール球回収通路２３に流入する。
【０１２７】
ファール球回収通路２３の通路面は、ファール球受容口２５ｆに向けて緩く下傾して成型されるとともに、大多数のファール球が落入する左側のファール球回収口２２Ｌと対向する立設壁面は、ファール球受容口２５ｆの方向に向けて平面視斜め４５度に成型されており、ファール球受容口２２Ｌの受容壁面で反射されて飛び込んでくるファール球ＢＦをこの立設壁面でもファール球受容口２５ｆの方向に誘導し、効率よくファール球受容口２５ｆに流入させ得るようになっている。
【０１２８】
このため、左右のファール球回収口２２Ｌ，２２Ｒに落入したファール球ＢＦは、ファール球回収通路２３を通ってファール球受容口２５ｆから貯留ケース２５に流入し、この貯留ケース内を転動流下してケース出口から球皿６に流出し、再び遊技球発射装置２１に導かれる。
【０１２９】
従って、このような第１のファール球誘導構造２００を備えたパチンコ機ＰＭ２によれば、発射通路１６５を落下してきたファール球ＢＦが、ガイド壁２０１で発射通路１６５と仕切られた第１ファール球通路２１０に直接落入し、また発射通路１６５に突出成形された第１誘導突起２０３に当接したファール球が第１ファール球通路２１０に誘導されて落入し、さらに誘導突部２０２ｂに当接したファール球が第１ファール球通路２１０に誘導されて落入し、いずれも発射口２２ｈの遙か上方で発射通路１６５から速やかに第１ファール球通路２１０に待避され、後続の発射球ＢＨの飛翔を妨げるようなことがない。
【０１３０】
さらに、第１ファール球通路２１０に落入せずに戻ってきたファール球ＢＦも、第２誘導突起２０５によって左側の第２ファール球通路２２５または右側の第２ファール球通路２１５を介して左右のファール球回収口２２Ｌ，２２Ｒに誘導され、ファール球が２段階の誘導突起でファール球回収口に導かれ、遊技球発射装置２１側にファール球が戻ることが極めて少ないようになっている。
【０１３１】
このため、図示するようないわゆる垂直発射と称されるような発射装置を用いて、遊技球を発射通路１６５に直接打ち出す構成を問題なく採用することができる。また、このような構成によって遊技領域ＰＡに到達するまでの通路長を短縮し、発射球ＢＨの飛送時間を短縮して、発射通路１６５上での遊技球同士の衝突を低減させることができる。
【０１３２】
なお、第１誘導突起２０３の構成は図３５中に二点鎖線で付記するように、適宜変更することができ、例えば、第１誘導突起２０３の上面の傾斜角度をより鋭角に形成してこの面に衝突するファール球ＢＦの第１ファール球通路２１０への案内効果を高め、あるいは第１誘導突起２０３の形成長さ下方に延長して外レール面１６１に接触して落下方向が右方向に屈折されたファール球を第１ファール球通路２１０に跳ね返す効果を高めるなど、第１ファール球通路２１０への誘導効果を高めた構成にすることも可能である。また、これらのような突起に代えて、遊技領域側の側壁面からＤＰ／２以内の配設ピッチで化粧板に遊技釘等を植設して第１誘導部材を構成することで同様の効果を持たせることも可能である。
【０１３３】
次に、第２のファール球誘導構造３００について図３７〜図４３の各図を参照しながら説明する。ここで、図３７は図３０に対応して第２のファール球誘導構造３００の構成を示す正断面図、図３８はこの誘導構造に用いられる弾性誘導部材３０２の斜視図、図３９は図３７中のＦ３９−Ｆ３９矢視断面図、図４０は図３７中のＦ４０−Ｆ４０矢視断面図、図４１は図３７中のＦ４１−Ｆ４１矢視断面図、図４２および図４３はこのファール球誘導構造の作用を示す説明図（正断面図）である。
【０１３４】
なお、この第２のファール球誘導構造３００は、発射通路１６５を落下してくるファール球ＢＦを、第１ファール球通路２１０に誘導する機能を強化した構造であり、上レール飾り１２′における外レール面１６１の下端形状、下レール飾り１３′における第１誘導突起３０３の形成位置、ガイド壁２０１に取着される弾性誘導部材３０２の構成を除き、パチンコ機の本体構造や、上下のレール飾り１２′，１３′における他の部分の構造などは上述した第１のファール球誘導構造２００と略同一である。そこで、同様部分に同一番号を付して重複説明を省略し、ここでは第１ファール球誘導構造２００と相違する部分を中心に説明する。
【０１３５】
第２のファール球誘導構造３００では、上レール飾り１２′における外レール面１６１の下部が既述した各外レール面１６１よりも右方（発射通路１６５側）に張り出され、発射ガイド２１ｇおよびガイド壁２０１の延長線上に一致して形成され、その下端部には弾性誘導部材の板厚に合わせた受容切り欠き部２０６が形成されている。また下レール飾り１３′における第１誘導突起３０３は、少なくともその上面の形成位置が外レール面１６１の下端部よりも上方に位置し連通開口３１１に向けて傾斜して形成されている。
【０１３６】
ガイド壁２０１には、発射通路１６５に発射された発射球ＢＨを通過させるが、発射通路１６５を上方から落下してくるファール球ＢＦを連通開口３１１から第１ファール球通路２１０に導く弾性誘導部材３０２が取り付けられている。
【０１３７】
弾性誘導部材３０２は、発射通路１６５側の壁面を構成するレール面３０２ａ、このレール面３０２ａから上方に延びて正面右側に湾曲しレール面３０２ａと直交する左右方向に弾性変形可能な誘導片部３０２ｂ、レール面３０２ａをガイド壁に密着支持させる嵌合支持部３０２ｃ、および弾性誘導部材３０２を固定するための固定フランジ部３０２ｄなどからなり、例えば、上腕部１６４の上端に取り付けられた球戻り規制片１６と同様に０．１〜０．３ｍｍ程度のステンレス鋼板やバネ鋼板等を用いて、図示形状に加工成形して構成される。弾性誘導部材３０２は、レール飾り１２′の裏面側からガイド壁に嵌着され、固定フランジ３０２ｄと位置整合するネジカラー２０４ｄをビス止めすることでレール飾り１２′とともに化粧板１１に固定される。
【０１３８】
また、図３７中にＷ１１，Ｗ１２，Ｗ１３を付記して示す各部の寸法関係は、遊技球の直径をＤＰとしたときに、Ｗ１１すなわち第１誘導突起３０３の突出部分での発射通路幅がＷ１１＞ＤＰであり、発射球が第１誘導突起３０３に当接することなく通過するようになっている。また、Ｗ１１≧Ｗ１２＞Ｗ１３、（Ｗ１１−Ｗ１２）＜（１／２）ＤＰのように設定されており、落下してきたファール球が確実に連通開口３１１側に落下するようになっている。
【０１３９】
なお、弾性誘導部材３０２の材質、板厚および図中の寸法Ｈ１１の設定にあっては、図４２に示すように、発射口２２ｈから打ち出された発射球ＢＨが下方から弾性誘導部材３０２上を移動するときに、誘導片部３０２ｂが発射球ＢＨに左方に押圧されて図中二点鎖線で示すように弾性変形してＷ１２≒０となり、平坦なレール面を形成して発射球ＢＨを遊技領域ＰＡに向けて通過させる一方、発射球ＢＨの通過後には速やかに元の姿勢に自己復帰し、発射通路１６５を落下してきたファール球ＢＦが上方から誘導片部３０２ｂに当接したときに、誘導片部３０２ｂがファール球ＢＦに右方に押圧されて図中点線で示すように弾性変形してＷ１１≒Ｗ１２となり、連通開口３１１を通して第１ファール球通路２１０に誘導するように設定される。
【０１４０】
換言すれば、弾性誘導部材３０２は遊技球から受ける押圧力によって柔軟に弾性変形し、連通開口３１１を開閉する弁体として機能するに適した材質および形状寸法に設定されており、各図に示す実施例では、具体的には、板厚０．２ｍｍ程度のステンレス鋼板を用い、寸法Ｈ１１は３ＤＰ程度に設定している。
【０１４１】
このため、弾性誘導部材３０２よりも上方から落下してくるファール球ＢＦは、どのような落下角度で落下してくるものであっても、必ず誘導片部３０２ｂの上部に当接してこれを右傾方向に弾性変形させ、連通開口３１１を通って第１ファール球通路２１０に落下し、発射口２２ｈ側の発射通路に落下することがない。
【０１４２】
第１ファール球通路２１０には、前述した緩衝突起２０４ａ，２０４ｂ，２０４ｃおよびネジカラー２０４ｄが突出成形されており、第１ファール球通路２１０に落入したファール球ＢＦは、この第１ファール球通路２１０を落下する途中で緩衝突起等２０４ａ〜２０４ｄに当接して多段に折り返され、落下速度が緩和された状態で導出開口２１２から左側のファール球回収口２２Ｌに落入する。
【０１４３】
そして左側のファール球回収口２２Ｌに落入したファールＢＦ球は、ファール球回収通路２３を通ってファール球受容口２５ｆから貯留ケース２５に流入し、この貯留ケース内を転動流下してケース出口から球皿６に流出し、再び遊技球発射装置２１に導かれる。
【０１４４】
なお、各図に示す実施例では、下レール飾り１３′の下端部に前述同様の第２誘導突起２０５を設けている。上述したように、本ファール球誘導構造では、発射通路１６５を連通状態と第１ファール球通路２１０への誘導状態とに切り替え弁機能を有した弾性誘導部材３０２を備えており、誘導片部３０２ｂよりも上方から落下してくるファール球はいかなる落下角度を有していても必ず第１ファール球通路２１０に誘導される。これは、たとえ発射通路１６５を落下してくるファール球ＢＦと後続の発射球ＢＨとが発射通路の上方で衝突し、２球がほぼ同時に落下してきた場合であっても同じである。
【０１４５】
また、弾性誘導部材３０２は薄肉弾性体からなり、発射球が通過した後に速やかに自己復帰する。このため、弾性片部３０２の直上部で発射球ＢＨとファール球ＢＦとが衝突したとしても、これら２球の衝突姿勢や相互の衝突角度に拘わらず、ともに第１ファール球通路２１０に誘導される。しかしながら、発射球ＢＨが誘導片部３０２ｂのレール面を通過中に上方からファール球ＢＦが落下してきた場合には、第１誘導突起３０３よりも下方の発射通路内で発射球ＢＨとファール球ＢＦとが衝突する状況も可能性としては考えられる。第２誘導突起２０５は、このような見地から念のため設けられたものであり、その作用は前述したとおりである。
【０１４６】
従って、このような第２のファール球誘導構造２００を備えたパチンコ機ＰＭ２によれば、発射通路１６５を落下してきたファール球ＢＦが、その落下位置や落下方向に拘わらず、ガイド壁２０１に設けられた弾性誘導部材３０２に誘導されて確実に第１ファール球通路２１０に落入し、発射口２２ｈの遙か上方で発射通路１６５から速やかに第１ファール球通路２１０に待避される。
【０１４７】
また、極めて希な可能性として考えられる弾性誘導部材３０２を通過中の衝突が生じたとしても、ファール球ＢＦは第２誘導突起２０５の作用によって左側の第２ファール球通路２２５を介して左側のファール球回収口２２Ｌまたは右側の第２ファール球通路２１５を介して右側のファール球回収口２２Ｒに誘導されるため、ファール球がこれら２段階の誘導突起で第１もしくは第２ファール球通路に確実に導かれる。
【０１４８】
このため、垂直発射と称されるような発射装置を用いて、遊技球を発射通路１６５に直接打ち出す構成を問題なく採用することができ、また、このような構成によって遊技領域ＰＡに到達するまでの通路長を短縮し、発射球ＢＨの飛送時間を短縮して、発射通路１６５上での遊技球同士の衝突を低減させることができる。
【０１４９】
次に、第３のファール球誘導構造４００について、図４４および図４５を参照して説明する。ここで、図４４は発射通路１６５を落下してきたファール球ＢＦを第１ファール球通路２１０に誘導する第１誘導突起４０３の近傍部を示す第３のファール球誘導構造４００の正断面図、図４５は図４４中の矢印Ｆ４５−Ｆ４５に沿った平断面図である。
【０１５０】
なお、この第３のファール球誘導構造４００は、前述した第１のファール球誘導構造２００における第１誘導突起２０３の近傍部分の構成が異なっており、ガイド壁２０１や固定誘導部材２０２、第１ファール球通路２１０、緩衝突起２０４〜２０４ｄ等の構成は第１のファール球誘導構造２００と略同一である。そこで、同様部分に同一番号を付して重複説明を省略し、ここでは第１のファール球誘導構造２００と相違する部分を中心に説明する。
【０１５１】
第３のファール球誘導構造４００では、上レール飾り１２′に成形されたガイド壁２０１の上端部と近接して、下レール飾り１３′から発射通路１６５の内側に向けて第１誘導突起４０３が緩やかな山形に突出形成され、その上面には連通開口４１１に向けて傾斜する支持面が形成されている。第１誘導突起４０３の下方には下レール飾り１３′の後方から円筒状の支軸４０４が前方に向けて突出成形されており、この支軸４０４に揺動誘導部材４０５が支持されている。
【０１５２】
揺動誘導部材４０５は、板バネ状に斜めに延びるアーム部４０５ａ、アーム部の先端側に曲げ成型されて第１誘導突起４０３の支持面上をスライド移動可能な誘導辺部４０５ｂ、アーム部４０５ａの基端側に円筒状にカーリング成形されて支軸４０４に係止される支持部４０５ｃなどからなり、板厚０．２〜０．３ｍｍ程度の薄肉弾性材料を用いて図示する形状に加工成形される。揺動誘導部材４０５は、下レール飾り１３′の前面側から支軸４０４に支持部を係合させてネジ固定することにより取り付けられ、アーム部４０５ａの弾性変形を利用して、誘導辺部４０５ｂが第１誘導突起４０３とスライド係合しながら左右に揺動変位可能に支持される。
【０１５３】
ここで、このように取り付けられた揺動誘導部材４０５と誘導突部２０２ｂ（ガイド壁２０１の上端部）との関係、揺動誘導部材４０５と外レール面１６１下端部との関係は、図中にＷ２１，Ｗ２２を付記して示す寸法関係が、遊技球の直径ＤＰに対してＷ２１＜ＤＰ＜Ｗ２２となるように設定されている。また第１誘導突起４０３の先端部とガイド壁２０１の先端部との間隔は遊技球の直径ＤＰよりも大きく設定されている。
【０１５４】
なお、揺動誘導部材４０５の材質、板厚やアーム部４０５ａの長さ寸法等の詳細設定にあっては、発射口２２ｈから打ち出された発射球ＢＨが下方から揺動誘導部材に当接したときに、発射球ＢＨの球速を殆ど変化させることなくアーム部４０５ａが弾性変形して誘導辺部４０５ｂを右方に揺動変移し、Ｗ２１＝ＤＰとさせて発射球ＢＨを遊技領域ＰＡに向けて通過させる一方、発射球ＢＨの通過後には速やかに元の姿勢（Ｗ２１＜ＤＰ）に自己復帰し、発射通路１６５を落下してきたファール球ＢＦが上方から誘導辺部４０５ｂに当接したときに、ファール球ＢＦを連通開口４１１を通して第１ファール球通路２１０に誘導し得るように設定される。
【０１５５】
このため、発射通路１６５を落下してきたファール球ＢＦは、一部は誘導突起４０３の上部に形成された誘導面に直接弾かれて連通開口４１１から第１ファール球通路２１０に落下し、他は誘導辺部４０５ｂの上面に当接して連通開口４１１に誘導され、この開口から第１ファール球通路２１０に落下する。ここで、誘導辺部４０５ｂは先端側が第１誘導突起４０３に支持されているため、このように落下してくるファール球の衝撃で変形するようなことがない。
【０１５６】
従って、このような第３のファール球誘導構造３００を備えたパチンコ機ＰＭ２においても、発射通路１６５を落下してきたファール球ＢＦが、下レール飾り１３′に設けられた第１誘導突起４０３および揺動誘導部材４０５に誘導されて発射通路と仕切られた第１ファール球通路２１０に落入し、発射口２２ｈの遙か上方で発射通路１６５から速やかに第１ファール球通路２１０に待避される。
【０１５７】
なお、上述した実施例では、揺動誘導部材４０５としてアーム部４０５ａの弾性変形を利用した形態を例示したが、揺動誘導部材４０５を固定誘導部材２０２と同程度の板厚の部材で成形し、これを支軸４０４に所定角度範囲で揺動可能に支持させたうえ、捻りバネやコイルバネなどの付勢手段を用いて反時計回りに付勢支持させるように構成してもよく、また、外ガイドレール１６１の下端部を第１のファール球誘導構造２００と同様に左側壁方向に逃がしてＷ２２をより拡大した構成としてもよい。
【０１５８】
次に、第４のファール球誘導構造５００について、図４６および図４７を参照して説明する。ここで、図４６は発射口２２ｈの直上に設けられた第２誘導突起の近傍部を示す第４のファール球誘導構造５００の正断面図、図４７は図４６中の矢印Ｆ４７−Ｆ４７に沿った平断面図である。
【０１５９】
なお、この第４のファール球誘導構造５００は、既述した第１または第２のファール球誘導構造２００，３００における第２誘導突起２０５の近傍部分の構成のみが異なっており、ガイド壁２０１や第１ファール球通路２１０等の構成は第１または第２のファール球誘導構造と略同一である。そこで、同様部分に同一番号を付して重複説明を省略し、既述したファール球誘導構造と相違する部分を中心に説明する。
【０１６０】
このファール球誘導構造５００では、発射口２２ｈの直上に位置する発射通路の下端部に、下レール飾り１３′から発射通路１６５の内側に向けて第２誘導突起５０３が突出形成され、その上面に左側のファール球回収口２２Ｌに向けて傾斜する支持面が形成されている。第２誘導突起５０３の下方には揺動誘導部材を収容支持する収容部５０４が成形されており、この収容部５０４に揺動誘導部材５０５が上下揺動可能に収容支持されている。
【０１６１】
揺動誘導部材５０５は、板バネ状のアーム部５０５ａ、アーム部の先端側に曲げ成型されて第２誘導突起５０３の支持面と係合可能な誘導辺部５０５ｂ、アーム部５０５ａの基端側に円筒状に成形された支持部５０５ｃなどからなり、既述した弾性誘導部材３０２や揺動誘導部材５０３と同様の薄肉弾性材料を用いて図示する形状に加工成形される。揺動誘導部材５０５は、下レール飾り１３′の裏面側から収容部５０４に収容され、その前方壁面に突出成型された枢支ピンに支持部５０５ｃを係止させて下レール飾り１３′を化粧板１１にネジ固定することで、アーム部５０５ａの先端側が上下に揺動可能に取り付けられる。こうして揺動誘導部材が取り付けられると、その先端側に発射通路１６５を横切り左側のファール球回収口２２Ｌに向けて左斜め下方に延びる第２ファール球通路５２５が形成される。
【０１６２】
揺動誘導部材５０５と各部の位置関係では、ガイド壁２０１（固定誘導部材２０２）の下端部とアーム部５０５ａの先端部との位置関係において、通常時では発射ルートの開口幅Ｗ３１が遊技球の直径ＤＰに対してＷ３１＜ＤＰ、第２ファール球通路の開口幅Ｗ３２が遊技球の直径ＤＰに対してＷ３２＞ＤＰとなるように設定されている。
【０１６３】
また、揺動誘導部材５０５の上方への揺動角度（すなわち収容部５０４の開口幅）は、発射口２２ｈから打ち出された発射球ＢＨが揺動誘導部材５０５に当接してこの揺動誘導部材５０５を上方に押圧したときに、発射球ＢＨの球速を殆ど変化させることなく揺動誘導部材５０５が支持部５０５ｃを中心として上方に揺動し、上記発射ルートの開口幅Ｗ３１がＷ３１＝ＤＰとなる角度以上揺動できるように設定されている。
【０１６４】
このため、遊技球発射装置２１から発射された発射球ＢＨは、この揺動誘導部材５０５を上方に揺動させて通過し発射通路１６５を上昇して遊技領域ＰＡに向かうことができる。一方、発射通路１６５を落下してきたファール球ＢＦは、誘導辺部５０５ｂの上面に当接して左斜め下方に誘導され、第２ファール球通路５２５を通って左側のファール球回収口２２Ｌに落入する。このとき、誘導辺部５０５ｂは先端側が第２誘導突起５０３に支持されているため、衝突してくるファール球の衝撃で変形するようなことがない。
【０１６５】
従って、このような第４のファール球誘導構造５００を備えたパチンコ機ＰＭ２においても、発射通路１６５を落下してきたファール球ＢＦが、下レール飾り１３′に設けられた揺動誘導部材５０５によって第２ファール球通路５２５に誘導され、この通路を通って左側のファール球回収通路２２Ｌに落入して回収されるため、発射口２２ｈから遊技球発射装置２１に戻るファール球を大幅に削減させることができる。
【０１６６】
なお、上述した実施例では、揺動誘導部材５０５が自由に上下揺動しうる形態を例示したが、例えば前述した揺動誘導部材と同様に、揺動誘導部材５０５を緩く下方に付勢して弾性支持させ発射球の通過後に弾性力で自己復帰するように構成してもよい。
【０１６７】
また、以上説明したファール球誘導構造２００，３００，４００，５００では発射通路の上方に第１の誘導部材を設けその下方に第２の誘導部材を設けた例を開示したが、第１誘導部材と第２誘導部材のいずれか一方を設ける構成としてもよく、また各実施例の第１誘導部材と第２誘導部材との組み合わせを適宜変更して構成することも可能である。そして、これらのようなファール球誘導構造によれば、パチンコ機本体側の構成を何ら変更することなく、遊技盤１０における上下のレール飾り１２，１３をわずかに変更するだけで、ファール球の発生確率を低減させ且つ発生したファール球の回収率を高め、安定して稼働可能なパチンコ機を提供することができる。なお、このようなファール球誘導構造を従来のレール構成のパチンコ機に適用することも可能である。
【０１６８】
【発明の効果】
以上説明したように、本発明は、遊技盤を所定位置で立設保持する枠部材と、この枠部材に開閉自在に取り付けられ常には遊技盤の前方を塞ぐ閉止位置に保持されるガラス扉とを備えてなる弾球遊技機において、遊技盤を枠部材に固定保持する固定保持手段が、枠部材に前方に突出して取り付けられ解放位置と係止位置とに移動可能な固定係止部材と、遊技盤に係止開口を有して設けられ解放位置にある固定係止部材を通過させて前方に突出させ係止位置にある固定部材と係合して係止固定される係止受け部とを備え、ガラス扉が閉止位置に保持されたときに、係止位置に位置する固定係止部材とは干渉しないが解放位置に位置する固定係止部材と干渉する干渉部がガラス扉に設けられて弾球遊技機が構成される。
【０１６９】
このため、遊技盤を所定位置に位置させて固定係止部材を係止位置に変移させるだけで遊技盤を枠部材に簡単に固定させることができる。そして、このように固定係止部材を係止位置に操作するのを忘れたときには、固定係止部材が解放位置に位置したままとなるため、ガラス扉の干渉部が固定係止部材と干渉してガラス扉を閉止できなくなり、遊技盤の固定作業忘れを簡単にチェックできる。従って、遊技盤の固定忘れを未然に防止して遊技盤が不完全な固定状態で遊技に供されることを確実に防止することができる。
【図面の簡単な説明】
【図１】本発明に係る弾球遊技機の一例として示すパチンコ機の正面図である。
【図２】上記パチンコ機の背面図である。
【図３】ガラス扉および球皿を開放した状態における上記パチンコ機の正面図である。
【図４】ガラス扉および球皿を開放し遊技盤を取り外した状態における上記パチンコ機の正面図である。
【図５】前枠からガラス扉、球皿、遊技盤、裏セット盤などを取り外した分解状態における各部の正面図である。
【図６】前枠からガラス扉、球皿、遊技盤、裏セット盤などを取り外した分解状態における各部の背面図である。
【図７】上記パチンコ機における遊技盤の正面図である。
【図８】遊技盤を構成する上下のレール飾りの背面図である。
【図９】上記パチンコ機に設けられた遊技盤固定保持装置の要部を示す正面図である。
【図１０】遊技盤固定保持装置の固定レバーとガラス窓側の規制突起部の形態を略示する斜視図である。
【図１１】遊技盤固定保持装置の構成部材を分解状態で示す正面図である。
【図１２】図１１に示した各部材の組み付け状態を示す平断面図である。
【図１３】遊技盤固定保持装置による遊技盤の固定状態を示す側断面図である。
【図１４】遊技盤固定保持装置に設けられた固定忘れ防止機構の作用を示す側断面図であって、このうち図（Ａ）は遊技盤固定保持装置が未固定状態、図（Ｂ）は遊技盤固定保持装置が固定状態を示す。
【図１５】遊技盤固定保持装置に設けられた固定忘れ防止機構の作用を示す平断面図であって、このうち図（Ａ）は遊技盤固定保持装置が未固定状態、図（Ｂ）は遊技盤固定保持装置が固定状態を示す。
【図１６】固定忘れ防止機構の作用を示す平面図である。
【図１７】上記パチンコ機に設けられた扉開放保持機構によりガラス扉を開放保持させた状態を示す側断面図（ガラス扉５の背面図）である。
【図１８】扉開放保持機構の分解斜視図である。
【図１９】扉開放保持機構の作用を示す平面図である。
【図２０】上記遊技盤に形成されたアウト口の近傍領域を主として示すレール飾りの正面図である。
【図２１】図２０と同一領域のレール飾りの背面図である。
【図２２】アウト口から排出されたアウト球の流れを示す平断面図である。
【図２３】アウト口から排出されたアウト球の流れを示す側断面図である。
【図２４】アウト口の他の構成例を示すレール飾りの背面図である。
【図２５】アウト口の他の構成例を示すレール飾りの平断面図である。
【図２６】さらに異なるアウト口の構成例を示すレール飾りの背面図（Ａ）および側断面図（Ｂ）である。
【図２７】レール飾りが取り付けられる化粧板の構成形態を略示する説明図である。
【図２８】本発明に係る弾球遊技機の他の例として示すパチンコ機の正面図であって、図４に対応してガラス扉および球皿を開放して遊技盤を取り外した状態で示す正面図である。
【図２９】遊技球発射装置から遊技領域までの発射通路を主として示す正面図である。
【図３０】第１のファール球誘導構造の構成を示す正断面図である。
【図３１】第１のファール球誘導構造に用いられる固定誘導部材の斜視図である。
【図３２】図３０中のＦ３２−Ｆ３２矢視断面図である。
【図３３】図３０中のＦ３３−Ｆ３３矢視断面図である。
【図３４】図３０中のＦ３４−Ｆ３４矢視断面図である。
【図３５】第１のファール球誘導構造の作用を示す説明図（正断面図）である。
【図３６】図２８中の矢印Ｆ３６〜方向に見たファール球の流れを主として示す平断面図である。
【図３７】第２のファール球誘導構造の構成を示す正断面図である。
【図３８】第２のファール球誘導構造に用いられる弾性誘導部材の斜視図である。
【図３９】図３７中のＦ３９−Ｆ３９矢視断面図である。
【図４０】図３７中のＦ４０−Ｆ４０矢視断面図である。
【図４１】図３７中のＦ４１−Ｆ４１矢視断面図である。
【図４２】第２のファール球誘導構造の作用を示す説明図（正断面図）である。
【図４３】第２のファール球誘導構造の作用を示す説明図（正断面図）である。
【図４４】第３のファール球誘導構造の構成を示す正断面図である。
【図４５】図４４中の矢印Ｆ４５−Ｆ４５に沿った平断面図である。
【図４６】第４のファール球誘導構造の構成を示す正断面図である。
【図４７】図４６中の矢印Ｆ４７−Ｆ４７に沿った平断面図である。
【符号の説明】
ＢＦ  ファール球
ＢＨ  発射球
ＢＯ  アウト球
ＢＳ  セーフ球
Ｓ  収容空間
ＰＡ  遊技領域
ＰＭ  パチンコ機
１  外枠
２  前枠
（２ａ  収容枠）
３ａ，３ｂ  ヒンジ機構
４  施錠装置
５  ガラス扉
６  球皿
７ａ，７ｂ，７ｃ  ヒンジ機構
８  操作ハンドル
９  球皿施錠装置
１０  遊技盤
１１  化粧板
（１１ａ  下部切り欠き、１１ｂ  貫通孔）
１２，１２′  上レール飾り
１３，１３′  下レール飾り
１４  入賞具
１５  図柄表示装置
１６  球戻り規制片
１７，１７′，１７″  アウト口
１８  球寄せカバー
１９  返しゴム
２０  遊技補助盤
２１  遊技球発射装置
（２１ｆ  遊技球ホルダ、２１ｇ  発射ガイド、２１ｈ  ハンマ）
２２  ファール球回収部材
（２２ｈ  発射口、２２Ｌ  左側のファール球回収口、
２２Ｒ  右側のファール球回収口）
２３  ファール球回収通路
２４  貯留ケース収容部
２５  貯留ケース
（２５ｆ  ファール球受容口）
２８  枠側シャッタ
２９  音響装置
３０  裏セット盤
３１  球貯留タンク
３２  タンクレール
３３  待機通路
３４  球払出装置
３５  球払出通路
３７  アウト球通路
（３７ａ  アウト球受容口、３７ｂ  アウト球排出口）
３８  セーフ球通路
（３８ａ  セーフ球集合樋、３８ｂ  セーフ球排出口）
３９  裏セット盤固定レバー
５１  扉枠（５１ｒ  リブ）
５２  ガラスアッセンブリ
５３ａ，５３ｂ  ヒンジ機構
５４  ガラス施錠機構
６１  球送りカセット
６５  貯留ケース透視窓
６８  皿側シャッタ
９１  電源基板
９２  主基板
９５  画像制御基板
１００  遊技盤固定保持装置
１１０  枠側固定保持構造
１１１  レバー収容部
（１１１ａ  支持部、１１１ｃ  レバー部挿通孔）
１１２  保持部材係止部
１１３  レバー保持部材
（１１３ａ  支持フランジ部、１１３ｂ  支持板部、１１３ｃ  係止部、
１１３ｄ  固定突起、１１３ｅ  軸受容穴、１１３ｆ  回動規制辺、
１１３ｇ  係止突起）
１１５  固定レバー
（１１５ａ  回動フランジ部、１１５ｂ  回動軸部、１１５ｃ  レバー部、
１１５ｄ  押圧突起、１１５ｆ  回動規制突起、
１１５ｇ  係合突起
１２０  盤側固定保持構造
１２１  係止受容部
１２５  係止受け部
（１２５ａ  係止受け面、１２５ｃ  係止開口、１２５ｄ  係止壁、
１２５ｅ  逃げ面）
１２７  係止受けカバー
１２８  係止受けカバー
１３０  固定忘れ防止機構
１３５  干渉突起
１５０  扉開放保持機構
１５１  開放支持部材
（１５１ｂ  収容部材係合軸部、１５１ｐ  ピン係止孔、
１５１ｍ  操作部）
１５２  収容部材
（１５２ａ  収容部材板状部、１５２ｂ  スライド係合孔
１５２ｃ  開放保持係止孔、１５２ｐ  収容係止ピン）
１５３  係止部材
（１５３ａ  係止部材基部、１５３ｂ  係止部材板状部  １５３ｈ  固定孔、
１５３ｐ  開放保持係止ピン）
１５４  接続部材
１５５  揺動規制ピン
１６１  外レール面
１６２  内レール面
１６３  内レール面
１６４  上腕部
１６５  発射通路
１６６  規制片支持部
１６７  レール面保護部材
１６８  レール面保護部材
（１６８ｃ，１６８ｄ  係止クリップ）
１７１  アウト球導出面
１７２  アウト口飾り部
１７３  アウト口周壁部
１７７  リブ
１７８ｃ，１７８ｄ  クリップ受容溝
１８０  アウト口形成部材
１８２  アウト口飾り部
１８３  アウト口周壁部
１８４  サラコネジ受容孔
１８５  アウト口形成部材取着部
１８６  ネジボス
１８７  サラコネジ
１９０  アウト口形成部材
１９２  アウト口飾り部
１９３  アウト口周壁部
２００  第１のファール球誘導構造
２０１  ガイド壁２０１
２０２  固定誘導部材
（２０２ａ  レール面、２０２ｂ  誘導突部、２０２ｃ  嵌合支持部、
２０２ｄ  固定フランジ部）
２０３  第１誘導突起
２０４ａ，２０４ｂ，２０４ｃ  緩衝突起
２０４ｄ  ネジカラー
２０５  第２誘導突起
２０６  受容切り欠き部
２１０  第１ファール球通路
２１１  連通開口
２１２  導出開口
２１５  第２ファール球通路
２２５  第２ファール球通路
３００  第２のファール球誘導構造
３０２  弾性誘導部材
（３０２ａ  レール面、３０２ｂ  誘導片部、３０２ｃ  嵌合支持部、
３０２ｄ  固定フランジ部）
３０３  第１誘導突起
３１１  連通開口
４００  第３のファール球誘導構造
４０３  第１誘導突起
４０４  支軸
４０５  揺動誘導部材
（４０５ａ  アーム部、４０５ｂ  誘導辺部、４０５ｃ  支持部）
４１１  連通開口
５００  第４のファール球誘導構造
５０３  第２誘導突起
５０４  収容部
５０５  揺動誘導部材
（５０５ａ  アーム部、５０５ｂ  誘導辺部、５０５ｃ  支持部）
５２５  第２ファール球通路
【図１】
2004208946.tif 000003
【図２】
2004208946.tif 000004
【図３】
2004208946.tif 000005
【図４】
2004208946.tif 000006
【図５】
2004208946.tif 000007
【図６】
2004208946.tif 000008
【図７】
2004208946.tif 000009
【図８】
2004208946.tif 000010
【図９】
2004208946.tif 000011
【図１０】
2004208946.tif 000012
【図１１】
2004208946.tif 000013
【図１２】
2004208946.tif 000014
【図１３】
2004208946.tif 000015
【図１４】
2004208946.tif 000016
【図１５】
2004208946.tif 000017
【図１６】
2004208946.tif 000018
【図１７】
2004208946.tif 000019
【図１８】
2004208946.tif 000020
【図１９】
2004208946.tif 000021
【図２０】
2004208946.tif 000022
【図２１】
2004208946.tif 000023
【図２２】
2004208946.tif 000024
【図２３】
2004208946.tif 000025
【図２４】
2004208946.tif 000026
【図２５】
2004208946.tif 000027
【図２６】
2004208946.tif 000028
【図２７】
2004208946.tif 000029
【図２８】
2004208946.tif 000030
【図２９】
2004208946.tif 000031
【図３０】
2004208946.tif 000032
【図３１】
2004208946.tif 000033
【図３２】
2004208946.tif 000034
【図３３】
2004208946.tif 000035
【図３４】
2004208946.tif 000036
【図３５】
2004208946.tif 000037
【図３６】
2004208946.tif 000038
【図３７】
2004208946.tif 000039
【図３８】
2004208946.tif 000040
【図３９】
2004208946.tif 000041
【図４０】
2004208946.tif 000042
【図４１】
2004208946.tif 000043
【図４２】
2004208946.tif 000044
【図４３】
2004208946.tif 000045
【図４４】
2004208946.tif 000046
【図４５】
2004208946.tif 000047
【図４６】
2004208946.tif 000048
【図４７】
2004208946.tif 000049